(57)【特許請求の範囲】
【請求項１】
送信機と、当該送信機と複数種類の通信サービスにて無線通信を行ないうる受信機とをそなえ、複数種類のガードインターバル長のサブフレームが混在する無線通信システムにおいて、
該送信機は、
前記複数種類の通信サービスに応じた複数のパイロット信号を生成し、
生成した複数のパイロット信号の少なくともいずれかについて、各サブフレームの前記複数のパイロット信号が送信される時間区間の開始位置が一定となるようにガードインターバルの付加を調整して、送信帯域の一部に予め設定された所定帯域を用いて送信するとともに、他のパイロット信号を前記所定帯域以外の前記送信帯域を用いて送信し、
該受信機は、
該送信機からの受信信号のうち少なくとも前記所定帯域を含む帯域の信号を検出し、
検出した信号から前記パイロット信号を検出することを特徴とする、無線通信方法。
【請求項２】
送信機と、当該送信機と複数種類の通信サービスにて無線通信を行ないうる受信機とをそなえ、複数種類のガードインターバル長のサブフレームが混在する無線通信システムに用いられる前記送信機であって、
前記複数種類の通信サービスに応じた複数のパイロット信号を生成するパイロット生成手段と、
該パイロット生成手段にて生成した複数のパイロット信号の少なくともいずれかについて、各サブフレームの前記複数のパイロット信号が送信される時間区間の開始位置が一定となるようにガードインターバルの付加を調整して、送信帯域の一部に予め設定された所定帯域を用いて送信するとともに、他のパイロット信号を前記所定帯域以外の前記送信帯域を用いて送信する送信手段とをそなえて構成されたことを特徴とする、送信機。
【請求項３】
前記所定帯域が、前記送信帯域の中心帯域を含む帯域、又は、前記送信帯域の中心帯域であることを特徴とする、請求項２記載の送信機。
【請求項４】
該パイロット生成手段が、
前記所定帯域にて送信するパイロット信号としてユニキャスト通信サービス用の第１パイロット信号を生成するユニキャストパイロット生成部と、
前記所定帯域以外の前記送信帯域にて送信されるパイロット信号としてマルチキャスト又はブロードキャスト通信サービス用の第２パイロット信号を生成するマルチキャスト／ユニキャストパイロット生成部とをそなえて構成されたことを特徴とする、請求項２又は３に記載の送信機。
【請求項５】
該ユニキャストパイロット生成部が、前記第１パイロット信号を予め記憶する記憶部により構成されるとともに、
該マルチキャスト／ユニキャストパイロット生成部が、前記第２パイロット信号を予め記憶する記憶部により構成されたことを特徴とする、請求項４記載の送信機。
【請求項６】
前記第１パイロット信号と前記第２パイロット信号のパターンとが異なるパターンを有することを特徴とする、請求項５記載の送信機。
【請求項７】
送信機と、当該送信機と複数種類の通信サービスにて無線通信を行ないうる受信機とをそなえ、該送信機が、前記複数種類の通信サービスに応じた複数のパイロット信号の少なくともいずれかについて、各サブフレームの前記複数のパイロット信号が送信される時間区間の開始位置が一定となるようにガードインターバルの付加を調整して、送信帯域の一部に予め設定された所定帯域を用いて送信するとともに、他のパイロット信号を前記所定帯域以外の前記送信帯域を用いて送信すべく構成された、複数種類のガードインターバル長のサブフレームが混在する無線通信システムに用いられる前記受信機であって、
該送信機からの受信信号のうち少なくとも前記所定帯域を含む帯域の信号を検出する保証帯域信号検出手段と、
該帯域信号検出手段で検出した信号から前記パイロット信号を検出するパイロット検出手段とをそなえて構成されたことを特徴とする、受信機。
【発明の詳細な説明】
【技術分野】
【０００１】
本発明は、無線通信方法並びに送信機及び受信機に関し、例えば、ユニキャスト通信とマルチキャスト（ブロードキャスト）通信とのように複数種類の通信サービスに応じたパイロット信号を用いるシステムに用いて好適な技術に関する。
【背景技術】
【０００２】
〔１〕ＯＦＤＭとセルサーチ処理
ＯＦＤＭ変調方式では、遅延波による特性劣化を低減するため、有効シンボル（有効データ）の一部をコピーして、有効シンボルに付加するガードインターバル（ＧＩ）が用いられている。付加されるガードインターバルの長さは、伝播路の遅延広がりにより決定されるため、同一システムにおいて、複数のガードインターバル長を切り替えて運用される形態が提案されている。【０００３】
そのような例としては、同じ長さのサブフレームで伝送されるシンボル数を変化させ、ガードインターバル長を調節し、遮蔽物の少ない郊外などに展開される半径の大きいセル（以降、大セルと表記する）では、図２３の（２）に示すような、長いガードインターバル長Ngi_lをもつサブフレームフォーマット（ロングＧＩサブフレーム）を用い、遮蔽物の多い都市部などに展開される半径の小さいセル（以降、小セルと表記する）では、図２３の（１）に示すような、短いガードインターバル長Ngi_sをもつサブフレームフォーマット（ショートＧＩサブフレーム）を用いるシステムがある（例えば、後記非特許文献６参照）。なお、この図２３において、N0は有効シンボル長を示し、１ガードインターバルと１有効シンボルとで１ＯＦＤＭシンボルが構成されている。【０００４】
ところで、セルラシステムでは、通信の開始時に、移動局端末が無線リンクを接続するセルを探すセルサーチ処理を行なう必要がある。以降、複数のガードインターバル長のサブフレームフォーマットが混在する場合のセルサーチ処理の一例について説明する。
図２４に、基地局送信装置の構成を示す。この図２４に示す基地局送信装置は、例えば、チャネル多重部１０１と、シリアル／パラレル変換処理部１０２と、逆高速フーリエ変換（ＩＦＦＴ）処理部１０３と、ガードインターバル挿入部１０４と、ガードインターバル長制御部１０５と、無線処理部１０６と、送信アンテナ１０７とをそなえて構成され、データチャネルの信号（シンボル）、パイロットチャネルの信号（シンボル）及び同期チャネル（ＳＣＨ）の信号（シンボル）等がチャネル多重部１０１にて時間多重された後、シリアル／パラレル変換処理部１０２にて、シリアル／パラレル変換されて各サブキャリアに配置され、逆高速フーリエ変換（ＩＦＦＴ）処理部１０３にて、ＩＦＦＴ処理が施されることによって時間領域信号に変換される。なお、以降の説明において、上記各種チャネルの信号（シンボル）を単に「〜チャネル」と略記することがある。また、パイロットチャネルの信号については、単に「パイロット信号」といったり単に「パイロット」といったりすることもある。【０００５】
さて、当該時間領域信号は、ガードインターバル挿入部１０４に入力され、ガードインターバル長制御部１０５によって決定された長さ（図２３の場合ならNgi_s又はNgi_l）のガードインターバルがガードインターバル挿入処理部１０４にて挿入され、無線処理部１０６及び送信アンテナ１０７を経てダウンリンクの無線信号として移動局端末に向けて送信される。【０００６】
図２５に、上記無線信号の１サブフレーム当たり７個のＯＦＤＭシンボルが含まれる場合のサブフレーム構成（フォーマット）を示す。この図２５に示すように、当該サブフレームは、各種チャネル（ＯＦＤＭシンボル）が時間及び周波数の２次元方向に多重されて構成されている。即ち、サブキャリア（周波数）毎（図２５の行毎）に、斜線部１１１で示すパイロットチャネル、斜線部１１２で示す同期チャネル（ＳＣＨ）、これら斜線部１１１，１１２を除いた符号１１３で示されるデータチャネルが時間多重されてサブフレームが構成されている。【０００７】
ここで、同期チャネル（ＳＣＨ）は、全てのセルにおいて共通のパターンを有しており、サブフレームの末尾に時間多重される。また、パイロットチャネルは、セルに固有の情報であるスクランブルコードを有しており、サブフレーム先頭に時間多重される。移動局端末は、このスクランブルコードにより在圏セルを同定することができる。なお、ＯＦＤＭベースのダウンリンクのチャネル構成やセルサーチ処理については、後記非特許文献１，２にも記述がある。【０００８】
次に、図２６に移動局端末でのセルサーチ処理手順を示す。まず、第一段階では、既知パターンである同期チャネル（ＳＣＨ）の時間信号のレプリカとの相関を検出し、例えば、最大の相関値を示すタイミングをサブフレームタイミングとする（ステップＳ１００）。
第二段階では、第一段階で検出したサブフレームタイミングにて高速フーリエ変換（ＦＦＴ）処理を行なって（つまり、検出したサブフレームタイミングがＦＦＴタイミングとなる）、周波数領域信号を生成し、当該信号から前記パイロットチャネルを抽出する。そして、抽出したパイロットチャネルと候補スクランブルコード（パイロットレプリカ）との相関を取り、例えば、最大の相関値を示す候補スクランブルコードを検出スクランブルコードとする（ステップＳ２００）。【０００９】
なお、従来のセルサーチ処理例として、他に、後記非特許文献３により提案されている技術（下りリンクブロードバンドＯＦＣＤＭにおけるパイロットチャネルを用いる３段階高速セルサーチ法）もある。この技術は、スクランブルコードを予めグループ分けし、スクランブルコード同定処理前に、スクランブルコードグループを検出して、スクランブルコード検出処理時の候補スクランブルコードを絞り込むことにより、セルサーチ処理を高速化するものである。【００１０】
〔２〕ＭＢＭＳについて
ところで、３ＧＰＰ（3rd Generation Partnership Project）では、次世代携帯電話通信の標準化に向けて、マルチメディア・ブロードキャスト／マルチキャスト型通信サービス（ＭＢＭＳ：Multimedia Broadcast/Multicast Service）の仕様の検討が進められている。例えば、後記非特許文献４では、前記ロングＧＩサブフレームをＭＢＭＳに用い、前記ショートＧＩサブフレームをユニキャスト通信に用いることや、ＭＢＭＳデータを多重したロングＧＩフレームと、ショートＧＩサブフレームとを時間多重（ＴＤＭ）したり、時間多重したロングＧＩサブフレームの中でＭＢＭＳデータを周波数多重（ＦＤＭ）したりすることが提案されている。なお、ロングＧＩサブフレームをマルチキャスト通信のために用いることは、非特許文献６にも記述がある。【００１１】
また、後記非特許文献５では、ＭＢＭＳでのパイロット信号の挿入方法として、ユニキャスト通信では、マイクロスリープモード（Micro Sleep Mode）を意識して、狭い時間領域に集中してパイロット信号を挿入する一方、マルチキャスト通信では、マイクロスリープモードを意識する必要が無いことから、ユニキャスト通信時とは異なるパイロット挿入方法を提案している。これは、ユニキャスト通信とマルチキャスト通信とで最適なパイロット挿入方法が異なる場合があるためと考えられる。
【非特許文献１】3GPP R1-051549 “Physical Channels and Multiplexing in Evolved UTRA Downlink”、NTT DoCoMo，NEC，SHARP、２００５年８月２９日
【非特許文献２】3GPP R1-051549 “Cell Search procedure for initial synchronization and neighbour cell identification”、Nokia、２００５年１１月７日
【非特許文献３】丹野、新、樋口、佐和橋：「下りリンクブロードバンドOFCDMにおけるパイロットチャネルを用いる３段階高速セルサーチ法」、信学技報 (TECHNICAL REPORT OF IEICE. RCS2002-40，CQ2002-40(2002-04)，p.135-140)
【非特許文献４】3GPP TSG RAN WG1 Meeting #43 (R1-051431) “Multiplexing of Multicast/Broadcast and Unicast Services”，Huawei，２００５年１１月７日
【非特許文献５】3GPP TSG-RAN WG1 #43 (R1-051490) “On Pilot Structure for OFDM based E-Utra Downlink Multicast”、QUALCOMM Europe、２００５年１１月７日
【非特許文献６】3GPP TR 25.814 V0.5.0 (2005-11)
【発明の開示】
【発明が解決しようとする課題】
【００１２】
上記項目〔１〕で述べたセルサーチ処理手順によれば、移動局端末は、例えば図２７に示すように、前記第一段階（ステップＳ１００）の処理として、サブフレームタイミング同期処理部２０１にて、受信信号のサブフレームタイミングを検出し、前記第二段階（ステップＳ２００）の処理として、検出したサブフレームタイミングに従って、受信信号中のガードインターバルをＧＩ除去部２０２にて除去した上で、ＦＦＴ処理部２０３にてＦＦＴ処理を行なってパイロットチャネルを抽出し、パイロット相関処理部２０４にて、候補スクランブルコードとの相関演算処理を行なってスクランブルコードを検出することになる。【００１３】
しかしながら、このように、第二段階のスクランブルコード検出処理において、第一段階で検出したサブフレームタイミング（ＦＦＴタイミング）でＦＦＴを行なってパイロットチャネルを抽出する場合、移動局端末では、基地局（送信装置）から送信されたサブフレームのガードインターバル長についての情報をもたないため、最適なＦＦＴタイミングでＦＦＴ処理を実行できない場合がある。【００１４】
例えば図２３の（２）に示した長いＧＩ長をもつサブフレームフォーマット（以下、ロングＧＩサブフレームと称する）と、図２３の（１）に示した短いＧＩ長をもつサブフレームフォーマット（以下、ショートＧＩサブフレームと称する）の２種類が混在して用いられる場合、移動局端末では、図２７中に示すように、符号３００で示す受信信号のサブフレームが、ロングＧＩサブフレームなのか、ショートＧＩサブフレームなのかが分からないため、誤ったタイミング（時間区間）でＦＦＴ処理を行なってしまう場合がある。【００１５】
即ち、図２７中に符号３０１で示すように、ショートＧＩサブフレームに対してＦＦＴ処理の時間区間（点線枠４００で示すＦＦＴウィンドウ）が有効シンボル（パイロットシンボル）区間に適正化されていたとすると、受信信号がロングＧＩサブフレームであった場合、符号３０２で示すように、一部の有効シンボル（パイロットシンボル）がＦＦＴウィンドウ４００から外れてしまい、結果的に、パイロットチャネルを正しく抽出することができなくなってしまう。なお、これとは逆に、ＦＦＴウィンドウ４００がロングＧＩサブフレームに対して適正化されていた場合も同様である。【００１６】
そのため、異なるＧＩ長をもつサブフレームフォーマットを混在して用いるシステムでは、移動局端末は、候補となるＧＩ長の全ての場合において（つまり、異なるＧＩ長をもつサブフレーム毎に）、それぞれに最適なサブフレームタイミング（ＦＦＴウィンドウ４００）でＦＦＴ処理を行ない、相関処理を行なう必要がある。つまり、例えば図２７に示した、ＧＩ除去部２０２，ＦＦＴ処理部２０３及びパイロット相関処理部２０４を候補となるＧＩ長の数だけパラレルに具備する必要があり、この場合、移動局端末の装置構成が非常に複雑になる。【００１７】
そこで、候補ＧＩ長の中で最小のＧＩ長をもつサブフレームを基準としてＦＦＴ処理を行ない、ＦＦＴタイミングのズレによる位相回転量を補正した上で、パイロット相関処理を異なるＧＩ長のサブフレーム毎に行なう方法も考えられるが、この場合は、パイロット相関処理量の増加だけで済むものの、ＧＩ長が長い場合の特性改善効果は見込めない。また、パイロット相関処理量の増加は、スクランブルコード検出処理における候補数の増加につながり、誤検出率が上がるため、特性も劣化する。【００１８】
なお、前記非特許文献３の技術では、グループコードが時間的に隣接したサブフレーム先頭のパイロットにより復調されるが、ＧＩ長が異なる複数のサブフレームが混在する場合においては、全ての候補ＧＩ長において、ＦＦＴ処理したパイロットチャネルを用いて、復調しなければならないため、処理量の増加、及び、検出時の候補数が増加するため、特性の劣化につながる。【００１９】
加えて、上記項目〔２〕で述べたように、ユニキャスト通信とマルチキャスト／ブロードキャスト通信（ＭＢＭＳ）とで異なるパイロット挿入方法が適用される場合には、ユニキャスト通信の初期同期時にセル固有のスクランブル方法（スクランブルコード）を検出することが困難になる。即ち、ユニキャスト通信とＭＢＭＳとで異なるスクランブルコードが多重された場合、それら異なるスクランブルコードが互いの干渉となるため、初期同期（セルサーチ）におけるスクランブルコード検出時に相関値の平均化を行なう動作において、正常な平均化を行なうことができず、セルサーチ性能の劣化を招くことになる。【００２０】
本発明は、このような課題に鑑み創案されたもので、ユニキャスト通信とマルチキャスト／ブロードキャスト通信（ＭＢＭＳ）とで異なるパイロット（スクランブルコード）挿入方法が適用される場合であっても、互いの干渉によるセルサーチ性能の劣化を回避できるようにすることを目的とする。
【課題を解決するための手段】
【００２１】
本発明では、下記の無線通信方法並びに送信機及び受信機を用いることができる。即ち、
（１）本発明の無線通信方法は、送信機と、当該送信機と複数種類の通信サービスにて無線通信を行ないうる受信機とをそなえ、複数種類のガードインターバル長のサブフレームが混在する無線通信システムにおいて、該送信機は、前記複数種類の通信サービスに応じた複数のパイロット信号を生成し、生成した複数のパイロット信号の少なくともいずれかについて、各サブフレームの前記複数のパイロット信号が送信される時間区間の開始位置が一定となるようにガードインターバルの付加を調整して、送信帯域の一部に予め設定された所定帯域を用いて送信するとともに、他のパイロット信号を前記所定帯域以外の前記送信帯域を用いて送信し、該受信機は、該送信機からの受信信号のうち少なくとも前記所定帯域を含む帯域の信号を検出し、検出した信号から前記パイロット信号を検出する。
【００２２】
（２）ここで、前記所定帯域は、前記送信帯域の中心帯域を含む帯域であるのが好ましい。
（３）より好ましくは、前記所定帯域は、前記送信帯域の中心帯域であるのがよい。
（４）また、該送信機は、前記送信帯域の幅に応じて前記所定帯域の幅を制御してもよい。
【００２３】
（５）その場合、該送信機は、前記送信帯域の幅が広いほど前記所定帯域の幅を広く制御するのが好ましい。
（６）また、前記所定帯域にて送信されるパイロット信号は、ユニキャスト通信サービス用のパイロット信号であり、前記所定帯域以外の送信帯域にて送信されるパイロット信号は、マルチキャスト又はブロードキャスト通信サービス用のパイロット信号であってもよい。
【００２４】
（７）さらに、前記ユニキャスト通信サービス用のパイロット信号と、前記マルチキャスト又はブロードキャスト通信サービス用のパイロット信号とは異なるパターンを有していてもよい。
（８）また、本発明の送信機は、当該送信機と複数種類の通信サービスにて無線通信を行ないうる受信機とをそなえ、複数種類のガードインターバル長のサブフレームが混在する無線通信システムに用いられるものであって、前記複数種類の通信サービスに応じた複数のパイロット信号を生成するパイロット生成手段と、該パイロット生成手段にて生成した複数のパイロット信号の少なくともいずれかについて、各サブフレームの前記複数のパイロット信号が送信される時間区間の開始位置が一定となるようにガードインターバルの付加を調整して、送信帯域の一部に予め設定された所定帯域を用いて送信するとともに、他のパイロット信号を前記所定帯域以外の前記送信帯域を用いて送信する送信手段とをそなえる。
【００２５】
（９）ここで、前記所定帯域は、前記送信帯域の中心帯域を含む帯域であるのが好ましい。
（１０）より好ましくは、前記所定帯域は、前記送信帯域の中心帯域であるのがよい。
（１１）また、該パイロット生成手段は、前記所定帯域にて送信するパイロット信号としてユニキャスト通信サービス用の第１パイロット信号を生成するユニキャストパイロット生成部と、前記所定帯域以外の前記送信帯域にて送信されるパイロット信号としてマルチキャスト又はブロードキャスト通信サービス用の第２パイロット信号を生成するマルチキャスト／ユニキャストパイロット生成部とをそなえていてもよい。
【００２６】
（１２）さらに、該ユニキャストパイロット生成部は、前記第１パイロット信号を予め記憶する記憶部により構成されるとともに、該マルチキャスト／ユニキャストパイロット生成部は、前記第２パイロット信号を予め記憶する記憶部により構成されていてもよい。
（１３）また、前記第１パイロット信号と前記第２パイロット信号のパターンとが異なるパターンを有していてもよい。【００２７】
（１４）さらに、本発明の受信機は、送信機と、当該送信機と複数種類の通信サービスにて無線通信を行ないうる受信機とをそなえ、該送信機が、前記複数種類の通信サービスに応じた複数のパイロット信号の少なくともいずれかについて、各サブフレームの前記複数のパイロット信号が送信される時間区間の開始位置が一定となるようにガードインターバルの付加を調整して、送信帯域の一部に予め設定された所定帯域を用いて送信するとともに、他のパイロット信号を前記所定帯域以外の前記送信帯域を用いて送信すべく構成された、複数種類のガードインターバル長のサブフレームが混在する無線通信システムに用いられるものであって、該送信機からの受信信号のうち少なくとも前記所定帯域を含む帯域の信号を検出する所定帯域信号検出手段と、該帯域信号検出手段で検出した信号から前記パイロット信号を検出するパイロット検出手段とをそなえる。
【発明の効果】
【００２８】
上記本発明によれば、少なくとも以下のいずれかの効果ないし利点が得られる。
（１）受信機では、受信信号から、前記所定帯域の信号を検出し、当該信号からパイロット信号を検出するので、他のパイロット信号が同じ時間領域に周波数多重されていても、当該パイロット信号による干渉の影響を回避して、パイロット信号の検出を正しく行なうことが可能となる。したがって、受信機でのセルサーチ性能の劣化を回避することが可能となる。
【００２９】
（２）ここで、前記所定帯域を送信機の送信帯域の中心帯域を含む帯域、特に、中心帯域とすれば、送信機の送信帯域幅が異なる場合であっても、受信機側で少なくとも中心帯域の信号を検出する構成としておけば、上記パイロット信号の検出を確実に行なうことが可能となる。したがって、受信機側の構成や設定を送信機の送信帯域幅ごとに変える必要がなく、汎用性に富む。
【００３０】
（３）また、前記所定帯域を送信機の送信帯域幅に応じて可変にする、例えば、広い送信帯域幅であるほど前記所定帯域を広く設定すれば、他の通信サービスのデータの多重を保証しつつ、当該通信サービス用のパイロット信号による干渉を回避した正確なパイロット信号検出が可能となる。また、送信帯域幅の広い送信機ほど広い所定帯域を設定することで、受信機では、パイロット信号検出に用いることのできる帯域（信号成分）が増加するので、検出性能が向上する。
【図面の簡単な説明】
【００３１】
【図１】本発明の関連技術の第１実施形態に係る基地局送信装置の要部の構成を示すブロック図である。
【図２】図１に示す基地局送信装置の動作（送信処理）を説明するためのフローチャートである。
【図３】図１に示す基地局送信装置の動作（送信処理）を説明するためのタイミングチャートである。
【図４】図１に示す基地局送信装置で用いるサブフレームフォーマット（２次元表現）の一例を示す図である。
【図５】図１に示す基地局送信装置で用いるサブフレームフォーマット（時間領域表現）の一例を示す図である。
【図６】図１に示す移動局端末の要部の構成を示すブロック図である。
【図７】図６に示す移動局端末におけるセルサーチ処理を説明するためのフローチャートである。
【図８】図６に示す移動局端末のＦＦＴ処理部の動作を説明するための模式図である。
【図９】図６に示す移動局端末の復調処理部の動作を説明するための模式図である。
【図１０】本発明の関連技術の第２実施形態に係るサブフレームフォーマット（２次元表現）の一例を示す図である。
【図１１】本発明の関連技術の第２実施形態に係るサブフレームフォーマット（時間領域表現）の一例を示す図である。
【図１２】従来技術（非特許文献３）で用いられるサブフレームフォーマット（２次元表現）を示す図である。
【図１３】本発明の関連技術の第３実施形態に係るサブフレームフォーマット（２次元表現）の一例を示す図である。
【図１４】本発明の関連技術の第３実施形態に係るサブフレームフォーマット（時間領域表現）の一例を示す図である。
【図１５】本発明の関連技術の第３実施形態に係る他のサブフレームフォーマット（２次元表現）の一例を示す図である。
【図１６】本発明の関連技術の第４実施形態に係るサブフレームフォーマット（２次元表現）の一例を示す図である。
【図１７】本発明の関連技術の第４実施形態に係るサブフレームフォーマット（時間領域表現）の一例を示す図である。
【図１８】図１６及び図１７に示すサブフレームフォーマットを用いた場合の移動局での受信処理（ＦＦＴ処理）を説明するための模式図である。
【図１９】本発明の関連技術の第５実施形態に係る基地局送信装置の要部の構成を示すブロック図である。
【図２０】図１９に示す基地局送信装置の動作（送信処理）を説明するためのフローチャートである。
【図２１】図１９に示す基地局送信装置の動作（送信処理）を説明するためのタイミングチャートである。
【図２２】本発明の関連技術の第５実施形態に係るサブフレームフォーマット（時間領域表現）の一例を示す図である。
【図２３】従来のＯＦＤＭ変調方式を採用したシステムで用いられるサブフレームフォーマット（時間領域表現）の一例を示す図である。
【図２４】従来のＯＦＤＭ変調方式を採用した基地局送信装置の要部の構成を示すブロック図である。
【図２５】従来のＯＦＤＭ変調方式を採用したシステムで用いられるサブフレームフォーマット（２次元表現）の一例を示す図である。
【図２６】従来の移動局でのセルサーチ処理を説明するためのフローチャートである。
【図２７】従来の移動局でのセルサーチ時の受信処理（ＦＦＴ処理）を説明するための模式図である。
【図２８】本発明の一実施形態に係るフレームフォーマット（ダウンリンク）を示す図である。
【図２９】本実施形態に係る基地局送信装置（送信機）の要部の構成を示すブロック図である。
【図３０】図２９に示すチャネル多重部の構成例を示すブロック図である。
【図３１】図２９に示す各パイロット発生部の構成例を示すブロック図である。
【図３２】本実施形態に係る移動局端末（受信機）の要部の構成を示すブロック図である。
【符号の説明】
【００３２】
１，１Ａ  基地局送信装置（送信機）
１０  チャネル多重部
１１  シリアル／パラレル変換処理部
１２  逆高速フーリエ変換（ＩＦＦＴ）処理部
１３  ガードインターバル挿入部
１４  無線処理部
１５  送信アンテナ
１６  サブフレームフォーマット記憶部
１７  送信サブフレームフォーマット決定部
１８  チャネル多重制御部
１９  ガードインターバル長制御部
１９ａ  位相回転処理部
４１  ユニキャストパイロット発生部（記憶部）
４２  マルチキャスト（／ブロードキャスト）パイロット発生部（記憶部）
４３  チャネル多重部
４３−１，４３−２，４３−３  記憶部
４３−４  並べ替え部
４４  ＩＦＦＴ処理部
２  移動局端末（ＵＥ）（受信機）
２０  受信アンテナ
２１  無線処理部
２２  第一段階処理部
２２−１  同期チャネルレプリカ信号記憶部
２２−２  相関処理部
２２−３  サブフレームタイミング検出部
２３  第二段階処理部
２３−１  ＧＩ除去部
２３−２  ＦＦＴ処理部
２３−３  パイロット抽出部
２３−４  候補スクランブルコード記憶部
２３−５  パイロット相関処理部
２３−６  スクランブルコード検出部
２３−７  パイロット／グループ同定用情報抽出部
２３−８  グループ同定処理部
２３−９  候補グループコード記憶部
２４  復調処理部
５１  受信アンテナ
５３  ガードインターバル（ＧＩ）除去部
５４  復調部
５５  サブキャリア抽出部
５６  タイミング検出部
５７−１〜５７−Ｌ  相関演算部
５８−１〜５８−Ｌ  相関値平均部
５９  判定部
３１  ロングＧＩサブフレーム
３２  ショートＧＩサブフレーム
３３  中心帯域（ユニキャストパイロット保証帯域）
１１１  パイロットチャネル
１１２  同期チャネル（ＳＣＨ）
１１３  データチャネル
１１６  報知情報チャネル
１１８  グループ同定用情報（S-SCH）
３００  受信信号
４００  ＦＦＴウィンドウ
【発明を実施するための最良の形態】
【００３３】
以下、図面を参照して本発明の実施の形態を説明する。なお、以下においては、２種類のガードインターバル長のサブフレーム（ショートＧＩサブフレーム、ロングＧＩサブフレーム）が混在するＯＦＤＭ通信システムを例に説明する。また、図２３の場合と同様に、ショートＧＩサブフレームに含まれるＯＦＤＭシンボル数は７シンボル、ロングＧＩサブフレームに含まれるＯＦＤＭシンボル数は６シンボルとし、有効シンボル長はいずれのフレームフォーマットにおいてもN0、ショートＧＩサブフレームにおけるＧＩ長はNgi_s、ロングＧＩサブフレームにおけるＧＩ長はNgi_lとする（例えば、図５参照）。【００３４】
〔Ａ〕関連技術の第１実施形態の説明
・基地局送信装置
図１は本発明の関連技術の第１実施形態に係る基地局送信装置の要部の構成を示すブロック図で、この図１に示す基地局送信装置（送信機）１は、例えば、チャネル多重部１０と、シリアル／パラレル変換処理部１１と、ＩＦＦＴ処理部１２と、ガードインターバル（ＧＩ）挿入部１３と、無線処理部１４と、送信アンテナ１５と、サブフレームフォーマット記憶部１６と、送信サブフレームフォーマット決定部１７と、チャネル多重制御部１８と、ガードインターバル長制御部１９とをそなえて構成されている。【００３５】
ここで、チャネル多重部１０は、チャネル多重制御部１８からの制御に従って、移動局端末（ＵＥ：User Equipment）２へ送信すべき各種チャネル（データチャネル、パイロットチャネル、同期チャネル等）の各チャネル信号（変調データ）を時間多重するものであり、シリアル／パラレル変換処理部（以下、Ｓ／Ｐ変換処理部と略記することがある）１１は、上記チャネル多重部１０により時間多重された信号（Ｎｃ個の変調データ）をシリアル／パラレル変換してそれぞれを各サブキャリアに配置（マッピング）するものである。【００３６】
ＩＦＦＴ処理部１２は、各サブキャリアに配置された変調データをＮｃ個単位でＩＦＦＴ処理して時間領域信号に変換するものであり、ガードインターバル挿入部１３は、ガードインターバル長制御部１９からの制御に従って、当該時間領域信号に対してガードインターバル〔前記２種類のＧＩ長（Ngi_s、Ngi_l）のいずれか一方〕を挿入するものである。【００３７】
ただし、本例では、例えば図５の（２）に示すように、ショートＧＩサブフレームについては、従来と同様に、パイロットチャネル（セル固有の情報であるスクランブルコード）が多重される先頭シンボルにはＧＩ長Ngi_sのガードインターバルを有効シンボル前部に付加するが、ロングＧＩサブフレームについては、図５の（１）に示すように、パイロットチャネルが多重される先頭シンボルには最小のＧＩ長Ngi_sに等しいガードインターバルを有効シンボル前部に付加し（符号１１５参照）、最大のＧＩ長Ngi_lと最小のＧＩ長Ngi_sの差（Ngi_l−Ngi_s）に等しいガードインターバルを当該有効シンボル後部に付加する（符号１１７参照）ようにガードインターバル挿入処理がガードインターバル長制御部１９によって制御されるようになっている。【００３８】
無線処理部１４は、ガードインターバル挿入後のショートＧＩサブフレーム又はロングＧＩサブフレームを所定の無線信号に周波数変換（アップコンバート）する等の所要の無線処理を行なうもので、当該無線信号は送信アンテナ１５を通じて伝播路へ送信される。
送信サブフレームフォーマット記憶部１６は、送信すべきサブフレームフォーマットの種別に関する情報（本例では、ショートＧＩサブフレームかロングＧＩサブフレームかを特定する情報）、各サブフレームについての１サブフレームあたりの送信シンボル数（Ｎｓｆ）、各サブフレームについてのＧＩ長（Ngi_s，Ngi_l）等、送信サブフレームを構成する（組み立てる）際に必要となる情報を記憶しておくものである。【００３９】
送信サブフレームフォーマット決定部１７は、送信すべきサブフレームフォーマット（ショートＧＩサブフレームフォーマットかロングＧＩサブフレームフォーマットか）を決定して、決定したサブフレームフォーマットを組み立てるのに必要な情報を上記送信サブフレームフォーマット記憶部１６から上記各種記憶情報を読み出して、チャネル多重制御部１８及びガードインターバル長制御部１９に指示を与えるものである。【００４０】
チャネル多重制御部１８は、上記送信サブフレームフォーマット決定部１７からの上記指示に従って、前記各チャネル信号（変調データ）のチャネル多重部１０での時間多重を制御するもので、前記各チャネル信号を所定の時間順序で１ＯＦＤＭシンボルあたりＮｃ個だけチャネル多重部１０へ入力させるように制御を行なうようになっている。このため、チャネル多重制御部１８は、１サブフレームあたりのＯＦＤＭシンボル数（Ｎｓｆ）をカウントする内部カウンタ（図示省略）を具備している。【００４１】
そして、ガードインターバル長制御部１９は、ガードインターバル挿入部１３でのガードインターバル挿入処理を制御するもので、上述したごとく、ショートＧＩサブフレームについては、図５の（２）に示すように、ＧＩ長Ngi_sのガードインターバルを有効シンボル前部に付加し（符号１１５参照）、ロングＧＩサブフレームについては、図５の（１）に示すように、最小のＧＩ長Ngi_sに等しいガードインターバルを有効シンボル前部に付加する（符号１１５参照）とともに、最大のＧＩ長Ngi_lと最小のＧＩ長Ngi_sの差（Ngi_l−Ngi_s）に等しいガードインターバルを当該有効シンボル後部に付加する（符号１１７参照）ようにガードインターバル挿入処理を制御するようになっている。【００４２】
以下、上述のごとく構成された本実施形態の基地局送信装置１（以下、単に「基地局１」と略記することもある）の動作（送信処理）について詳述する。
基地局１では、送信サブフレームフォーマット決定部１７によって、送信サブフレームフォーマットを決定し（図３のタイミングＴ１参照）、サブフレームフォーマット記憶部１６から送信サブフレームフォーマット種（Ｓ，Ｌ）、１サブフレームあたりの送信シンボル数Ｎｓｆおよびガードインターバル長（Ngi_s，Ngi_l）を読み出し、チャネル多重制御部１８およびガードインターバル長制御部１９へ出力（指示）する（図２のステップＳ１及び図３のタイミングＴ２参照）。なお、上記送信サブフレームフォーマット種（Ｓ，Ｌ）のＳはショートＧＩサブフレームフォーマット、ＬはロングＧＩサブフレームフォーマットを意味している。【００４３】
これにより、チャネル多重制御部１８は、内部カウンタの値（初期値：０）に応じて、各チャネルの多重方法をチャネル多重部１０へ指示する（図２のステップＳ２）。このとき、チャネル多重制御部１９は、図３に示すように、各チャネル信号の出力要求をサブキャリア数Ｎｃ回だけ出力することにより、Ｎｃ個の各チャネルの変調データ（Ａ，Ｂ，Ｃ，…）を上記指示に従って所定の順序でチャネル多重部１０に入力させる（矢印１８１参照）。【００４４】
チャネル多重部１０は、チャネル多重制御部１８の指示に従って、各チャネルの変調データ（Ｎｃ個）の時間多重を行ない（図３の符号１８２参照）、シリアル／パラレル変換処理部１１へ変調データをＮｃ個出力する（図２のステップＳ３及び図３の矢印１８３参照）。
なお、チャネル多重制御部１８は、上述のごとくＮｃ個の各チャネルの変調データ（Ａ，Ｂ，Ｃ，…）をチャネル多重部１０に入力すると、内部カウンタの値をカウントアップする。ただし、当該カウントアップによりＮｓｆを超えた場合は０にリセットする（図２のステップＳ４及び図３の符号１８４参照）。なお、ＮｓｆはＯＦＤＭシンボル数の上限値を意味し、前述したように、ショートＧＩサブフレームの場合は７シンボル、ロングＧＩサブフレームの場合は６シンボルである。【００４５】
一方、シリアル／パラレル変換処理部１１は、チャネル多重部１０から入力された時間多重信号（Ｎｃ個の変調データ）をシリアル／パラレル変換して各サブキャリアに配置して、ＩＦＦＴ処理部１２へ出力する（図２のステップＳ５）。ＩＦＦＴ処理部１２は、各サブキャリアに配置されたＮｃ個の変調データをＩＦＦＴ処理し、有効シンボルをガードインターバル挿入部１３へ出力する（図２のステップＳ６及び図３の矢印１８５参照）。【００４６】
そして、ガードインターバル長制御部１９が、有効シンボル前部に付加すべきガードインターバル長（Ngi_pre）および有効シンボル後部に付加すべきガードインターバル長（Ngi_post）をガードインターバル付加要求としてガードインターバル挿入部１３に出力する（図３の矢印１８６参照）。
ここで、現在の（送信サブフレームフォーマット決定部１７で決定された）送信サブフレーム（フォーマット）が、ショートＧＩサブフレーム（Ｓ）の場合は（Ngi_pre，Ngi_post）＝（Ngi_s，０）とし、ロングＧＩサブフレーム（Ｌ）の場合は（Ngi_pre，Ngi_post）＝（Ngi_s，Ngi_l-Ngi_s）とする。なお、現在の送信サブフレーム（フォーマット）が、ロングＧＩサブフレームで内部カウンタの値が０でない場合（つまり、ＧＩ挿入対象の有効シンボルがサブフレームの先頭シンボル以外の場合）は、（Ngi_pre，Ngi_post）＝（Ngi_l，０）として、有効シンボル前部にＧＩ長Ngi_lのガードインターバルの挿入を指示する（図２のステップＳ７）。【００４７】
上記指示（ガードインターバル付加要求）を受けたガードインターバル挿入部１３は、ＩＦＦＴ処理部１２から入力された有効シンボルの末尾Ngi_pre［sample］だけコピーし、当該有効シンボルの前部に付加する（図３の符号１８７参照）とともに、有効シンボルの先頭Ngi_post［sample］だけコピーし、有効シンボル末尾に付加して（図３の符号１８８参照）、無線処理部１４へ出力する（ステップＳ８及び図３の矢印１８９参照）。【００４８】
その後、ガードインターバル長制御部１９は、内部カウンタをカウントアップする（Ｎｓｆを超えた場合は初期値０にリセットする）（図２のステップＳ９及び図３の符号１９０参照）。
一方、無線処理部１４は、ガードインターバル挿入部１３からのＯＦＤＭシンボルについてアップコンバート処理等の所要の無線処理を施して、送信無線信号を送信アンテナ１５から伝播路へ送信する（図２のステップＳ１０及び図３の符号１９１参照）。【００４９】
以降、以上の処理が繰り返されることにより、図４の（１）及び図５の（２）に示すようなショートＧＩサブフレームフォーマット、又は、図４の（２）及び図５の（１）に示すようなロングＧＩサブフレームフォーマットにて、ダウンリンクの無線信号が送信されることになる。なお、図４の（１）及び（２）はいずれもサブフレームフォーマットを時間及びサブキャリア（周波数）の２次元配置で表しており、図５の（１）及び（２）はいずれもサブフレームフォーマットを時間領域で表している。【００５０】
つまり、図４の（１）及び（２）から分かるように、ショートＧＩサブフレーム及びロングＧＩサブフレームのいずれのフォーマットの場合でも、サブキャリア毎に、サブフレーム先頭にパイロットチャネル（斜線部１１１参照）が配置（時間多重）され、その後に、データチャネル（符号１１３参照）が配置され、サブフレーム末尾に同期チャネル（ＳＣＨ）（斜線部１１２参照）が配置されたサブフレームフォーマットにて、ダウンリンクの無線送信信号が送信され、また、図５の（１）及び（２）から分かるように、少なくとも、サブフレーム先頭に多重される有効シンボル（パイロットチャネル：符号１１４参照）前部には、ショートＧＩサブフレーム及びロングＧＩサブフレームの相違に関わらず、常に、一定ＧＩ長（Ngi_s）のガードインターバル（ＧＩ：符号１１５参照）が挿入されて上記無線送信信号が送信されるのである。なお、サブフレーム先頭以外の有効シンボルについては、本来のＧＩ長Ngi_s又はNgi_ｌのガードインターバルがそれぞれの有効シンボル前部に挿入される。【００５１】
したがって、以下に説明するように、移動局端末（受信機）２では、受信信号のサブフレームフォーマットがショートＧＩサブフレームなのかロングＧＩサブフレームなのかを知らなくても、常に、サブフレームの先頭タイミングから上記一定ＧＩ長に相当する時間後にＦＦＴウィンドウの開始位置を設定してＦＦＴ処理を開始すれば、少なくともサブフレームの先頭シンボル（パイロットシンボル）については、適切な時間区間でＦＦＴ処理を行なうことができ、以後のパイロットチャネルの抽出及びスクランブルコードの検出も適切に行なうことが可能となる。【００５２】
・移動局端末
次に、移動局端末２の構成及び動作について説明する。
図６はＯＦＤＭ通信システムにおける移動局端末２の要部の構成を示すブロック図で、この図６に示す移動局端末２は、例えば、受信アンテナ２０と、同期チャネルレプリカ信号記憶部２２−１，相関処理部２２−２及びサブフレームタイミング検出部２２−３を有して成る第一段階処理部２２と、ＧＩ除去部２３−１，ＦＦＴ処理部２３−２，パイロット抽出部２３−３，候補スクランブルコード記憶部２３−４，パイロット相関処理部２３−５及びスクランブルコード検出部２３−６を有して成る第二段階処理部２３と、復調処理部２４とをそなえて構成されている。【００５３】
ここで、受信アンテナ２０は、上述した基地局１からの無線信号を受信するものであり、無線処理部２１は、この受信アンテナ２０で受信された無線信号についてダウンコンバート処理等の所要の無線受信処理を施すものであり、第一段階処理部２２は、セルサーチの第一段階の処理として、無線処理部２１からの受信信号と既知パターンである同期チャネル（ＳＣＨ）のレプリカ信号との相関に基づいてサブフレームタイミングを検出するものである。【００５４】
そのため、この第一段階処理部２２において、同期チャネルレプリカ信号記憶部２２−１は、上記同期チャネルのレプリカ信号を予め記憶しておくものであり、相関処理部２２−２は、上記受信信号と同期チャネルレプリカ信号記憶部２２−１に記憶されているレプリカ信号との相関をとるものであり、サブフレームタイミング検出部２２−３は、この相関処理部２２−２による相関処理結果を基に受信信号のサブフレームタイミングを検出するもので、例えば、最大の相関を示したタイミングをサブフレームタイミングとして検出することができる。【００５５】
また、第二段階処理部２３は、セルサーチの第二段階の処理として、上述のごとく第一段階処理部２２で検出されたサブフレームタイミングを基に高速フーリエ変換（ＦＦＴ）処理を行なって、パイロットチャネルの抽出及びスクランブルコードの検出を行なうものである。
そのため、この第二段階処理部２３において、ＧＩ除去部２３−１は、サブフレームタイミング検出部２２−３で検出されたサブフレームタイミングを基に受信信号に挿入されているガードインターバルを除去するものである。ただし、本例では、前述したように、基地局１において、少なくとも送信サブフレーム先頭の有効シンボル前部には、ショートＧＩサブフレーム及びロングＧＩサブフレームの相違に関わらず、常に、一定ＧＩ長（Ngi_s）のガードインターバルが挿入されているので、少なくともサブフレーム先頭については上記サブフレームタイミングにて当該一定ＧＩ長（Ngi_s）のガードインターバルを除去することになる。【００５６】
ＦＦＴ処理部２３−２は、ガードインターバル除去後の有効シンボルについて、所定の時間区間（少なくとも有効シンボル長時間）、つまり、ＦＦＴウィドウにてＦＦＴ処理を施すことにより、時間領域の受信信号を周波数領域の信号に変換するもので、本例では、上述したごとく、サブフレームタイミングから上記一定ＧＩ長（Ngi_s）に相当する時間後にＦＦＴウィンドウの開始位置を設定してＦＦＴ処理を開始することにより、ショートＧＩサブフレーム、ロングＧＩサブフレームの違いに依らず、常に、適切な時間区間でＦＦＴ処理を行なえるようになっている。【００５７】
パイロット抽出部２３−３は、上記ＦＦＴ処理部２３−３によるＦＦＴ処理後の周波数領域信号からパイロットチャネル信号（パイロットシンボル）を抽出するものであり、候補スクランブルコード記憶部２３−４は、パイロット相関処理部２３−５での相関処理に用いられる候補スクランブルコード（パイロットレプリカ）を予め記憶しておくものであり、パイロット相関処理部２３−５は、上記パイロット抽出部２３−３により抽出されたパイロットシンボルと上記候補スクランブルコード記憶部２３−４に記憶されている上記候補スクランブルコードとの相関をとるものである。【００５８】
スクランブルコード検出部２３−６は、上記パイロット相関処理部２３−５での相関処理結果に基づいてスクランブルコードを検出するもので、例えば、最大の相関を示した候補スクランブルコードを検出スクランブルコードとすることができる。
そして、復調処理部２４は、上記スクランブルコード検出部２３−６にて検出されたスクランブルコードを用いた逆拡散処理や、有効シンボルについてのＦＦＴ処理等を含む所要の受信信号復調処理を行なうものである。なお、本例では、サブフレーム先頭の有効シンボル前部のＧＩ長を、異なるＧＩ長をもつサブフレームフォーマットの相違によらず、一定としているため、本来のＧＩ長よりも短いＧＩ長となる場合があり、その分、遅延波による特性劣化が生じるおそれがあるが、これは、当該復調処理部２４において、図９により後述する処理を行なうことで回避可能である。【００５９】
以下、上述のごとく構成された本実施形態の移動局端末２（以下、単に「移動局２」と略記することもある）の動作（セルサーチ方法）について説明する。
本例においても、移動局２は、図７に示すように、セルサーチの第一段階の処理として、既知パターンである同期チャネル（ＳＣＨ）の時間信号のレプリカとの相関を検出して、例えば、最大の相関値を示すタイミングをサブフレームタイミングとする（ステップＳ２１）。【００６０】
即ち、移動局２では、受信アンテナ２１で基地局１からの無線信号が受信され、無線処理部２１にてダウンコンバート処理等の所要の無線処理を施された後、第一段階処理部２２において、当該受信信号と同期チャネルレプリカ信号記憶部２２−１に記憶されている同期チャネル（ＳＣＨ）のレプリカ信号との相関が相関処理部２２−２にてとられ、その結果（相関値）が最大となるタイミングをサブフレームタイミング検出部２２−３にてサブフレームタイミングとして検出する。【００６１】
そして、第二段階処理部２３では、受信しているサブフレームフォーマットによらず、上述のごとくサブフレームタイミング検出部２２−３にて検出されたサブフレームタイミングから受信信号のNgi_s［sample］をＧＩ除去部２３−１にて除去し、ＦＦＴ処理部２３−２にてＦＦＴ処理して周波数領域信号への変換を行なう。
このように、本例では、サブフレーム先頭シンボルのＦＦＴ処理において、受信信号のサブフレームフォーマットの相違（ショートＧＩサブフレームかロングＧＩサブフレームか）に関係なく、常に、サブフレームタイミングからNgi_s［sample］分のガードインターバルを除去することにより、サンプルずれを起こすことなく、常に適切な時間区間（ＦＦＴウィンドウ）でＦＦＴ処理を実行することができる。【００６２】
即ち、例えば図８に示すように、受信信号（符号３００参照）のサブフレームフォーマットがショートＧＩサブフレームフォーマットかロングＧＩサブフレームフォーマットか分からず、符号３０１で示すようにショートＧＩサブフレームに対してＦＦＴ処理の時間区間（点線枠４００で示すＦＦＴウィンドウ）が有効シンボル（パイロットシンボル）区間に適正化されていたとしても、受信信号３００がロングＧＩサブフレームであった場合（符号３０２参照）も、サブフレーム先頭の有効シンボル（符号１１４参照）の前部（符号１１５参照）にはショートＧＩサブフレームの場合と同じＧＩ長Ngi_sのガードインターバルが挿入されているので、同じＦＦＴウィンドウ４００で、有効シンボル（パイロットシンボル）のサンプルずれを起こすことなく、ＦＦＴ処理を実行することができるのである。【００６３】
さて、ＦＦＴ処理後の受信信号は、パイロット抽出部２３−３に入力され、当該パイロット抽出部２３−３にて、パイロットチャネルが多重されたサブキャリアからパイロットシンボルが抽出される。そして、パイロット相関処理部２３−５にて、抽出したパイロットシンボルと候補スクランブルコード記憶部２３−４に記憶されている候補スクランブルコードとの相関がとられ、スクランブルコード検出部２３−６にて、例えば、最大の相関値を得る候補スクランブルコードを検出スクランブルコードとする（ステップＳ２２）。【００６４】
なお、検出されたスクランブルコードは、復調処理部２４での無線リンク接続後の復調処理に用いられる。ただし、この復調処理部２４では、無線リンク接続後、例えば図９に模式的に示すように、ロングＧＩサブフレーム先頭の有効シンボル（パイロットシンボル）の復調処理については、ＧＩ長Ngi_l［sample］だけ先頭を除去し（矢印２４１参照）、当該シンボル後部のＧＩ長Ngi_l-Ngi_s［sample］をシンボル前部に移動（カット＆ペースト）させた（矢印２４２，２４３参照）後に、上記ＦＦＴ処理を行なう（矢印２４４参照）。【００６５】
これにより、基地局１側でロングＧＩサブフレームの先頭シンボルの前部に付加されるガードインターバルが本来の長さ（Ngi_l）よりも短く（Ngi_s）なっていても、結果的に、ロングＧＩサブフレームの本来のＧＩ長（Ngi_l）が付加されているシンボルと効果（遅延波による特性劣化の低減効果）は変わらない。
以上のように、本実施形態によれば、移動局２によるセルサーチの第二段階のスクランブルコード検出時のパイロットチャネルが多重されたサブフレーム先頭シンボルのＦＦＴ処理において、受信信号のサブフレームフォーマットの相違（ショートＧＩサブフレームかロングＧＩサブフレームか）に関係なく、常に、サブフレームタイミングからNgi_s［sample］分のガードインターバルを除去することにより、サンプルずれを起こすことなく、常に適切な時間区間（ＦＦＴウィンドウ）でＦＦＴ処理を実行することができ、結果として、適切なパイロットチャネル抽出処理及びスクランブルコード検出処理を行なうことができる。【００６６】
したがって、複数のガードインターバル長のサブフレームフォーマットが混在する場合においても、移動局２の構成を大規模化あるいは複雑化することなく、適切なセルサーチ処理を実現することができ、移動局２の簡易化、及び、セルサーチ処理時の特性改善を図ることができる。また、スクランブルコード検出部２３−６における候補数が増大することもない（必要ない）ため、当該候補数増大による誤検出率を抑制でき、特性改善を見込むことができる。【００６７】
なお、上記では、サブフレーム先頭シンボルの有効データ開始位置がサブフレームタイミングから同じ位置になるようにガードインターバルの配置を制御しているが、２シンボル目以降について、有効データ開始位置がサブフレームタイミングから同じ位置になるようにガードインターバルの配置を制御してもよい。例えば、ショートＧＩサブフレームの３シンボル目とロングＧＩサブフレームの２シンボル目の有効データ開始位置がサブフレームタイミングから同じ位置になるようにガードインターバルの配置を制御しても良い。このような場合には、有効データ開始位置がサブフレームタイミングから同じ位置になっている有効データにパイロットが多重される。【００６８】
〔Ｂ〕関連技術の第２実施形態の説明
移動局２は、上述した基地局１のスクランブルコードを検出した後、セル固有の情報が含まれる報知情報（基地局１から周期的に報知情報チャネルよって送信される）の受信を行なうが、上述した第１実施形態では、受信しているサブフレームに挿入されているガードインターバルの長さの相違（ロングＧＩサブフレームかショートＧＩサブフレームか）に関わらず、適正な時間区間でＦＦＴ処理を実行してスクランブルコードを検出することができたが、受信しているサブフレームについての情報（どのＧＩ長をもつサブフレームか）は依然として未知であるため、報知情報の復調処理時には、全ての候補ＧＩ長（Ngi_s，Ngi_l）について処理が必要となる。【００６９】
第１実施形態では、サブフレーム先頭にセルを特定する情報（パイロットチャネル）のみを配置しているが、通常、パイロットチャネル（シンボル）は、復調処理時のチャネル推定精度を十分に確保できる割合が挿入されていればよい。ここでは、例えば、１サブキャリア間隔のパイロットシンボル挿入により、復調時に十分なチャネル推定精度が得られるとする。【００７０】
そこで、基地局１において、例えば図１０に示すように、サブフレーム先頭のパイロットシンボル（斜線部１１１参照）の挿入されていないサブキャリアにはデータチャネル（符号１１３参照）ではなく、符号１１６で示す報知情報チャネル（ＢＣＨ）を配置（多重）する。なお、符号１１２は本例においても同期チャネル（ＳＣＨ）を表している。
ここで、図１０はサブフレームフォーマットを時間及びサブキャリア（周波数）の２次元配置で表しているが、時間領域で表すと、図５と同様に、図１１に示すようになる。即ち、この図１１において、（１）がロングＧＩサブフレームフォーマットを表し、（２）がショートＧＩサブフレームフォーマットを表しており、いずれのフォーマットにおいても、サブフレーム先頭の有効シンボル（符号１１４参照）には、パイロットシンボルと報知情報チャネル（ＢＣＨ）（以下、単に「報知情報」ともいう）とが多重（周波数多重）されている。【００７１】
なお、他のフレーム構成は図５の場合と同様であり、ロングＧＩサブフレーム、ショートＧＩサブフレームのいずれの場合も、サブフレーム先頭の有効シンボル前部には、第１実施形態と同様にして、同じＧＩ長Ngi_sのガードインターバルが挿入（時間多重）され（符号１１５参照）、ロングＧＩサブフレーム先頭の有効シンボル末尾には本来のＧＩ長Ngi_lから当該有効シンボル前部に付加したＧＩ長Ngi_sを差し引いた残りのＧＩ長（Ngi_l−Ngi_s）のガードインターバルが挿入される（符号１１７参照）。【００７２】
したがって、基地局１では、図１により前述したサブフレームフォーマット記憶部１６に、図１０及び図１１に示すサブフレームフォーマットを組み立てるのに必要な情報を予め記憶しておき、その情報に基づいてチャネル多重制御部１８が上記報知チャネルを含む各種チャネルの時間多重処理を制御するようにすれば、基本的に、図１と同様の構成で、図１０及び図１１に示すサブフレームフォーマットでの送信を実現できる。【００７３】
そして、この場合、報知情報の多重されている有効シンボル位置はロングＧＩサブフレーム、あるいは、ショートＧＩサブフレームのどちらでもサブフレームタイミングから同じ位置であるため、ＧＩ長に関する情報が未知であったとしても、移動局２は、第１実施形態と同等の構成及び処理により、サブフレーム先頭の有効シンボル、即ち、パイロットシンボル及び報知情報について適正な時間区間でＦＦＴ処理を実行することができ、適切なセルサーチ処理と報知情報の受信処理（復調処理）とを実現することができる。【００７４】
ここで、上記報知情報として、基地局１が送信しているサブフレームのＧＩ長に関する情報（ＧＩ長そのもの、あるいは、異なるＧＩ長のサブフレームの送信パターンに関する情報等）を含ませておけば、復調処理部２４での以降の復調処理は、当該報知情報を復号することにより得られるＧＩ長情報を基に行なうことができる。なお、報知情報により送信可能な情報量は限られるため、報知したい情報量が１つの報知情報で送信可能な情報量を超えるような場合には、基地局１は、複数のサブフレームの報知情報に分割して含ませることができる。【００７５】
その他の基地局１及び移動局２の動作については、基本的に、第１実施形態と同様である。
なお、上記では、サブフレーム先頭シンボルの有効データ開始位置がサブフレームタイミングから同じ位置になるようにガードインターバルの配置を制御しているが、２シンボル目以降について、有効データ開始位置がサブフレームタイミングから同じ位置になるようにガードインターバルの配置を制御してもよい。例えば、ショートＧＩサブフレームの３シンボル目とロングＧＩサブフレームの２シンボル目の有効データ開始位置がサブフレームタイミングから同じ位置になるようにガードインターバルの配置を制御しても良い。このような場合には、有効データ開始位置がサブフレームタイミングから同じ位置になっている有効データにパイロットおよび報知情報が多重される。【００７６】
〔Ｃ〕関連技術の第３実施形態の説明
従来例として前述した前記非特許文献３で提案されている技術（３段階高速セルサーチ法）では、例えば図１２に示すように、サブフレームの先頭と末尾にそれぞれパイロットシンボルが多重され、末尾のパイロットシンボルには、先頭のパイロットパターンＰ（ｉ）（ｉ＝０〜Ｎｃ−１）に、スクランブルコードグループを特定（同定）するためのグループ同定用情報であるグループコードＧ（ｉ）が乗算されたパターン（スクランブルコードグループ情報）Ｇ（ｉ）Ｐ（ｉ）が用いられる。なお、この図１２では全てのサブキャリアについてパイロットシンボルが多重されているが、１サブキャリア間隔等、間引いて多重されている場合もある。【００７７】
この技術でのセルサーチ処理の概要について説明すると、第一段階では、ガードインターバルの相関特性を利用してシンボルタイミングを検出し、第二段階では、サブフレーム前後に配置されたパイロットシンボルを利用し、サブフレームタイミングおよびスクランブルコードグループを検出する。そして、ＦＦＴ処理後に、各サブキャリアにおいて、時間的に隣接するシンボルについて、次式（１）に示すごとく、一方を複素共役にして乗算を行なうことにより、サブフレームのタイミングの場合、グループコードＧ（ｉ）を抽出することができる。【００７８】
【数１】
0004422768.tif 000002
【００７９】
したがって、全ての候補サブフレームタイミングにおいて、時間的に隣接したシンボルの複素共役の乗算を行なって得られた系列に対して、候補グループコードとの相関をとり、最大の相関を得るサブフレームタイミングおよびグループコードＧ（ｉ）を検出値とする。
そして、第三段階では、パイロットシンボルと、第二段階で検出したグループに含まれる候補スクランブルコードとの相関をとることにより、スクランブルコードを検出する。【００８０】
しかし、この技術についても、システムで固定のＧＩ長をもつサブフレームフォーマットを用いるのことが前提であり、複数のＧＩ長をもつサブフレームフォーマットが混在するシステムにおいて適用する場合、前述したように、次のような課題が生じる。
即ち、グループコードは時間的に隣接したサブフレーム先頭のパイロットにより復調されるが、ＧＩ長が異なる複数のサブフレームが混在する場合においては、全ての候補ガードインターバル長において、ＦＦＴ処理したパイロットシンボルを用いて、復調処理を行なう必要がある。また、この場合、処理量の増加、及び、検出時の候補数が増加するため、特性の劣化につながる。【００８１】
これに対し、上述した実施形態では、少なくともパイロットシンボルの多重された有効シンボル位置は、ＧＩ長の異なるサブフレームフォーマット（ロングＧＩサブフレームフォーマットかショートＧＩサブフレームフォーマットか）に依存しないので、受信側（移動局２）では、サブフレーム先頭の有効シンボルについては、常に、一意に処理が可能である。そこで、かかる特徴を利用することで、上記従来技術の課題も解決することが可能となる。【００８２】
即ち、本例では、サブフレームフォーマットとして、例えば図１３及び図１４に示すようなフォーマットを適用する。ここで、図１３は、時間的に隣接する２つのサブフレームのうち時間的に前のサブフレーム末尾の有効シンボルと時間的に後のサブフレーム先頭の有効シンボルとに着目して、サブフレームフォーマットを周波数ｆ及び時間ｔの２次元で表しており、図１４は、当該サブフレームフォーマットを時間領域で表している。【００８３】
そして、図１３に示すように、本例では、サブフレーム先頭の有効シンボルには１サブキャリア間隔でパイロットチャネル１１１が挿入されるとともに、残りのサブキャリアについて報知情報チャネル（ＢＣＨ）１１６が挿入され、サブフレーム末尾の有効シンボルには１サブキャリア間隔でグループ同定用情報（S-SCH）１１８が挿入されるとともに、残りのサブキャリアについて同期チャネル（P-SCH）１１２が挿入される。【００８４】
つまり、図１４の時間領域表現では、（１）に示すロングＧＩサブフレーム、（２）に示すショートＧＩサブフレームのいずれについても、サブフレーム先頭の符号１１４で示す有効シンボルにはパイロットチャネルと報知情報チャネル（ＢＣＨ）とが周波数多重され、サブフレーム末尾の符号１１９で示す有効シンボルには同期チャネル（P-SCH）とグループ同定用情報（S-SCH）とが周波数多重されていることになる。【００８５】
なお、本例においても、グループ同定用情報（S-SCH）１１８には、グループ固有のコードＧ（ｉ）に時間的に隣接するパイロットチャネル１１１のパイロットパターンＰ（ｉ）を乗算したパターンＧ（ｉ）Ｐ（ｉ）を用いる。また、グループ固有のコードＧ（ｉ）には、例えば、Walsh符号などの直交符号を用いる。
以上のような構成（フォーマット）を有するサブフレームについても、基本的には、図１に示した基地局１において、サブフレームフォーマット記憶部１６に、図１３及び図１４に示すサブフレームフォーマットを組み立てるのに必要な情報を予め記憶しておき、その情報に基づいてチャネル多重制御部１８が上記グループ同定用情報を含む各種チャネルの時間多重処理を制御するようにすれば、図１と同様の構成で、図１３及び図１４に示すサブフレームフォーマットでの送信を実現できる。【００８６】
一方、移動局２では、第一段階の処理として、同期チャネル（ＳＣＨ）を利用して、第１実施形態と同様に、サブフレームタイミングの検出を行なう。つまり、図１に示す第一段階処理部２２と同等の構成で、サブフレームタイミングの検出を行なうことができる。
そして、第二段階の処理としては、検出されたサブフレームタイミングを用いて受信信号についてＦＦＴ処理を行なって周波数領域信号に変換した上で、グループ同定用情報とパイロットチャネルとを抽出し、前記式（１）に示したように、グループ同定用情報と時間的に隣接するパイロットチャネルの複素共役を乗算して得られた（復調された）系列と、候補グループコードとの相関をとり、例えば最大の相関値を得るグループを検出グループとして同定する。【００８７】
その際、本例では、パイロットチャネルＰ（ｉ）の多重された有効シンボル位置が、図１４に示したように、ＧＩ長の異なるサブフレーム（ロングＧＩサブフレームかショートＧＩサブフレームか）に依存しないため、上記ＦＦＴ処理を常に適切なＦＦＴウィンドウでパイロットチャネルの多重されている有効シンボル区間に対して実行することができる。したがって、ＧＩ長の異なるサブフレームが混在する場合においても、処理量の増加、及び、検出時の候補数の増加による特性劣化を回避することができる。【００８８】
なお、第３段階の処理では、パイロットチャネルと、第二段階で検出（同定）したグループに含まれる候補スクランブルコードとの相関をとることにより、スクランブルコードを検出する。
つまり、上記第二段階及び第三段階の処理は、例えば図６に示した移動局２の構成において、パイロット抽出部２３−３に代えて、パイロットチャネルとグループ同定用情報とを抽出するパイロット／グループ同定用情報抽出部２３−７をそなえるとともに、パイロット相関処理部２３−５の前段に、上記候補グループコードを記憶する候補グループコード記憶部２３−９と、当該候補グループコード記憶部２３−９に記憶されている候補グループコードを用いて前記式（１）による演算を行なってグループの同定を行なうグループ同定処理部２３−８とを設けることにより実現可能である。【００８９】
なお、例えば図１５に示すように、グループ同定用情報１１８に、サブフレームフォーマットを特定（識別）するための情報（以下、サブフレームフォーマット情報という）Ｌ（例えば、ショートＧＩサブフレームの場合でＬ＝１、ロングＧＩサブフレームの場合でＬ＝−１）を乗算してＧＩ長に関する情報を含めておくことにより、グループ同定とともにサブフレームフォーマット情報、つまり、受信しているサブフレームのＧＩ長（ショートＧＩサブフレームかロングＧＩサブフレームか）も検出することが可能になる。【００９０】
即ち、候補グループに固有のコードとの相関値のうち、例えば、最大の相関値の極性を判定することにより、サブフレームフォーマット情報を検出することができる。この場合、グループ検出時点でサブフレームフォーマットも検出できているため、次段階のスクランブルコード処理時において、ロングＧＩサブフレームの場合、長いガードインターバルのメリットを活かせるため、第三段階の処理の特性が改善される。ただし、第二段階の処理での候補数は増えるため（グループ数×サブフレームフォーマット数）、第二段階の処理の特性改善は見込めない。【００９１】
なお、本例では、報知情報チャネルとして送信すべき情報を特定していないが、上記サブフレームフォーマット情報Ｌに加えて、基地局１が送信している異なるＧＩ長のサブフレームの送信パターン等に関する情報を報知情報チャネルにも含ませておけば、セルサーチ後の復調処理において当該送信パターンを基に異なるＧＩ長に応じた処理が可能となるので特性改善に有利である。【００９２】
〔Ｄ〕関連技術の第４実施形態の説明
上述した実施形態では、いずれも、サブフレーム先頭の有効シンボルにパイロットチャネルが配置（多重）されるとともに、サブフレーム末尾の有効シンボルに同期チャネル（ＳＣＨ）が多重されているが、これらの関係を入れ替えて、例えば図１６及び図１７に示すように、同期チャネル（ＳＣＨ）をサブフレーム先頭の有効シンボルに多重し（図１６の斜線部１１２及び図１７の符号１１４参照）、パイロットチャネルをサブフレーム末尾の有効シンボルに多重してもよい（図１６の斜線部１１１及び図１７の符号１１９参照）。なお、符号１１３は本例においてもデータチャネルを表している。【００９３】
ここで、図１６はサブフレームフォーマットを時間及びサブキャリア（周波数）の２次元配置で表しており、図１７の（１）はロングＧＩサブフレームフォーマット、図１７の（２）はショートＧＩサブフレームフォーマットをそれぞれ時間領域で表している。また、本例においても、図１７の（１）に示すように、ロングＧＩサブフレーム先頭の有効シンボル前部には、ショートＧＩサブフレームのＧＩ長Ngi_sと等しいＧＩ長のガードインターバルが多重される（符号１１５参照）とともに、当該有効シンボル後部には、本来のＧＩ長Ngi_lから有効シンボル前部に多重したＧＩ長Ngi_sを差し引いた残りのＧＩ長Ngi_l−Ngi_sのガードインターバルが多重される（符号１１７参照）。【００９４】
以上のような構成（フォーマット）を有するサブフレームについても、基本的には、図１に示した基地局１において、サブフレームフォーマット記憶部１６に、図１６及び図１７に示すサブフレームフォーマットを組み立てるのに必要な情報を予め記憶しておき、その情報に基づいてチャネル多重制御部１８が上記各種チャネルの時間多重処理を制御するようにすれば、図１と同様の構成で、図１６及び図１７に示すサブフレームフォーマットでの送信を実現できる。【００９５】
このようなサブフレームフォーマットを用いれば、受信側（移動局２）では、例えば図１８に模式的に示すように、基地局１からの受信信号がロングＧＩサブフレームかショートＧＩサブフレームかに依らず、同期チャネル（ＳＣＨ）の多重位置は一定位置となるので、サブフレームタイミングを容易かつ確実に検出することができる。
即ち、例えば図１８に模式的に示すように、受信信号（符号３００参照）のサブフレームフォーマットがショートＧＩサブフレームフォーマット（符号３０１参照）かロングＧＩサブフレームフォーマット（符号３０２参照）か分からなくても、いずれのサブフレームについてもその先頭の有効シンボル（符号１１４参照）の前部には同じＧＩ長Ngi_sのガードインターバル（符号１１５参照）が挿入されているので、前記相関処理部２２−２（図６参照）において最大の相関値を示すタイミングを容易かつ確実に検出することが可能である。【００９６】
また、この場合、パイロットチャネルがサブフレーム末尾の有効シンボルに多重されているため、ＦＦＴ処理部２３−２（図６参照）では、受信信号のサブフレームフォーマットに関わらず一定のＦＦＴウィンドウでＦＦＴ処理を実行すれば足り、複数のＦＦＴウィンドウ候補でＦＦＴ処理を行なう必要がない。
このように、本例では、パイロットチャネルをサブフレーム末尾の有効シンボルに多重していることで、スクランブルコード検出部２３−６（図６参照）でのスクランブルコード検出処理時において、ロングＧＩサブフレームが基地局１から送信されている場合、第１実施形態と比較して、長いガードインターバルが付加されているメリットを活かすことができ、特性改善を見込むことができる。【００９７】
なお、上述した実施形態では、サブフレーム先頭の有効シンボル（パイロットチャネル又は同期チャネル）多重位置を一定とするために、ロングＧＩサブフレームのサブフレーム先頭の有効シンボル前部に多重するＧＩ長を、ショートＧＩサブフレームで用いるＧＩ長（最小のＧＩ長）Ngi_sに合わせる調整を行なっているが、逆に、ショートＧＩサブフレームのサブフレーム先頭の有効シンボル前部に多重するＧＩ長を、ロングＧＩサブフレームで用いるＧＩ長Ngi_lに合わせる調整を行なってもよい。【００９８】
また、ＧＩ長の異なるサブフレームフォーマットが３つ以上混在する場合においても、少なくとも各サブフレームの先頭シンボル前部には同じＧＩ長のガードインターバルが多重されるようにＧＩ長の調整を行なえばよい（いずれかのサブフレームで用いるＧＩ長に合わせてもよいし、各サブフレームで一定のＧＩ長を決めておいてもよい）。
さらに、上述した実施形態では、いずれも、サブフレーム先頭の有効シンボルについてのみＧＩ長の調整を行なっているが、サブフレーム先頭以外の有効シンボルについて同様のＧＩ長調整を行なってもよい。【００９９】
また、上記では、サブフレーム先頭シンボルの有効データ開始位置がサブフレームタイミングから同じ位置になるようにガードインターバルの配置を制御しているが、２シンボル目以降について、有効データ開始位置がサブフレームタイミングから同じ位置になるようにガードインターバルの配置を制御してもよい。例えば、ショートＧＩサブフレームの３シンボル目とロングＧＩサブフレームの２シンボル目の有効データ開始位置がサブフレームタイミングから同じ位置になるようにガードインターバルの配置を制御しても良い。このような場合には、有効データ開始位置がサブフレームタイミングから同じ位置になっている有効データに同期チャネルが多重される。【０１００】
〔Ｅ〕関連技術の第５実施形態の説明
有効シンボルの時間領域信号をｇk（ただし、ｋは時間［sample］を表し、０≦ｋ≦Ｎ−１で、ＮはＤＦＴサイズを表す）とし、ｇkをΔｋ［sample］だけ循環的にシフトした信号を離散フーリエ変換（ＤＦＴ）すると、下記式（２）となる。【０１０１】
【数２】
0004422768.tif 000003
【０１０２】
ただし、この式（２）において、Ｇnは次式（３）で表され、有効シンボルをＤＦＴした周波数領域の系列である。なお、次式（３）において、ｎはサブキャリア番号を表し、０≦ｎ≦Ｎ−１である。【０１０３】
【数３】
0004422768.tif 000004
【０１０４】
つまり、有効シンボルをΔｋ［sample］だけ循環的にシフトした信号の周波数領域における系列は有効シンボルの周波数領域における系列を周波数方向に１サブキャリアあたり２πΔｋ／Ｎだけ位相を回転した系列に等しい。
したがって、前述した第１実施形態において、ロングＧＩサブフレームの前後にガードインターバルが付加された先頭ＯＦＤＭシンボルは、周波数方向にNgi_l-Ngi_sだけ位相回転させた系列をＩＦＦＴ処理した有効シンボル（Ngi_l-Ngi_s［sample］だけ循環的にシフトしたシンボルになる）の前部にNgi_l［sample］のガードインターバルを付加したＯＦＤＭシンボルと考えることができる。【０１０５】
そこで、第１実施形態で図１により前述した基地局送信装置１は、例えば図１９に示す基地局送信装置（送信機）１Ａとして構成することができる。即ち、シリアル／パラレル変換処理部１１とＩＦＦＴ処理部１２との間に位相回転処理部１９ａを設け、この位相回転処理部１９ａにより、第１実施形態のようにサブフレーム先頭の有効シンボルの前後にガードインターバルを付加する代わりに（既述のガードインターバル長制御部１９が不要）、ロングＧＩサブフレームのパイロットチャネルが多重される先頭シンボルの場合、入力系列を予め周波数方向にNgi_l-Ngi_sだけ位相を回転させた系列（ｎ番目のサブキャリア成分の位相を
0004422768.tif 000005
【０１０６】
だけ回転させた系列）をＩＦＦＴ処理部１２に入力する構成とする。
このように、ガードインターバルを前後に付加する代わりに、ＩＦＦＴ処理部１２に入力する周波数領域の系列を予め周波数方向に位相回転させておくことで、第１実施形態と数学的に等価な動作を実現することができる。
ここで、上記位相回転処理部１９ａは、チャネル多重制御部１８によって制御される。即ち、チャネル多重制御部１８は、既述のチャネル多重制御機能に加えて、送信サブフレームフォーマット決定部１７にて送信サブフレームフォーマットがロングＧＩサブフレームフォーマットと決定された場合に、そのサブフレーム先頭の有効シンボルについて、上記位相回転処理の指示を位相回転処理部１９ａに与える機能を具備し、位相回転処理部１９ａは、当該指示を受けることにより、上記位相回転処理を実行することになる。なお、図１９において、他の既述の符号と同一符号を付した構成要素は、特に断らない限り、既述のものと同一もしくは同様のものである。【０１０７】
以下、上述のごとく構成された本実施形態の基地局送信装置１Ａ（以下、単に「基地局１Ａ」と略記することもある）の動作（送信処理）について詳述する。
基地局１Ａでは、送信サブフレームフォーマット決定部１７によって、送信サブフレームフォーマットを決定し（図２１のタイミングＴ１参照）、サブフレームフォーマット記憶部１６から送信サブフレームフォーマットに応じた１サブフレームあたりの送信シンボル数Ｎｓｆおよびガードインターバル長（Ngi）を読み出し、チャネル多重制御部１８およびガードインターバル挿入部１３へ出力する（図２０のステップＳ１１及び図２１のタイミングＴ２参照）。【０１０８】
これにより、チャネル多重制御部１８は、内部カウンタの値（初期値：０）に応じて、各チャネルの多重方法をチャネル多重部１０へ指示するとともに、決定した送信サブフレームフォーマットがロングＧＩサブフレームフォーマットであれば、その先頭シンボルについての位相回転指示を位相回転処理部１９ａへ与える（図２０のステップＳ１２）。このとき、チャネル多重制御部１９は、図２１に示すように、各チャネル信号の出力要求をサブキャリア数Ｎｃ回だけ出力することにより、Ｎｃ個の各チャネルの変調データ（Ａ，Ｂ，Ｃ，…）を上記指示に従って所定の順序でチャネル多重部１０に入力させる（矢印１８１参照）。【０１０９】
チャネル多重部１０は、チャネル多重制御部１８の指示に従って、各チャネルの変調データ（Ｎｃ個）の時間多重を行ない（図２１の符号１８２参照）、シリアル／パラレル変換処理部１１へ変調データをＮｃ個出力する（図２０のステップＳ１３及び図２１の矢印１８３参照）。
一方、シリアル／パラレル変換処理部１１は、チャネル多重部１０から入力された時間多重信号（Ｎｃ個の変調データ）をシリアル／パラレル変換して各サブキャリアに配置して、位相回転処理部１９ａへ出力する（図２０のステップＳ１４）。位相回転処理部１９ａは、チャネル多重制御部１８から前記位相回転指示があれば（サブフレーム先頭の有効シンボルの場合）、入力系列を前述したごとく周波数方向に位相回転処理してＩＦＦＴ処理部１２へ出力する（図２０のステップＳ１５及び図２１の矢印１８７参照）。なお、サブフレーム先頭の有効シンボル以外の場合は、その入力系列については上記位相回転処理は施されずに、ＩＦＦＴ処理部１２へ出力される（図２１の点線矢印１８５参照）。【０１１０】
そして、チャネル多重制御部１８は、内部カウンタの値をカウントアップする。ただし、当該カウントアップによりＮｓｆを超えた場合は０にリセットする（図２０のステップＳ１６及び図２１の符号１８６参照）。なお、ＮｓｆはＯＦＤＭシンボル数の上限値を意味し、第１実施形態と同様に、例えば、ショートＧＩサブフレームの場合は７シンボル、ロングＧＩサブフレームの場合は６シンボルである。【０１１１】
ＩＦＦＴ処理部１２は、各サブキャリアに配置されたＮｃ個の変調データをＩＦＦＴ処理し、有効シンボルをガードインターバル挿入部１３へ出力する（図２０のステップＳ１７及び図２１の矢印１８８参照）。
ガードインターバル挿入部１３は、ＩＦＦＴ処理部１２から入力された有効シンボルの末尾Ngi［サンプル］をコピーし、有効シンボル前部に付加して（図２１の符号１８９参照）無線処理部１４へ出力する（図２０のステップＳ１８及び図２１の矢印１９０参照）。【０１１２】
そして、無線処理部１４は、ガードインターバル挿入部１３からのＯＦＤＭシンボルについてアップコンバート処理等の所要の無線処理を施して、送信無線信号を送信アンテナ１５から伝播路へ送信する（図２０のステップＳ１９及び図２１の符号１９１参照）。
以降、以上の処理が繰り返されることにより、例えば図２２の（１）に示すようなロングＧＩサブフレームフォーマット、又は、図２２の（２）に示すようなショートＧＩサブフレームフォーマットにて、ダウンリンクの無線信号が送信されることになる。【０１１３】
即ち、ロングＧＩサブフレームの場合は、サブフレーム先頭の有効シンボル前部には、以降の有効シンボルに対して付加されるＧＩ長Ngi_lと同じ長さのガードインターバルが多重されるとともに（符号１１５ａ参照）、当該サブフレーム先頭の有効シンボルには前記位相回転処理を施されたパイロットシンボルが挿入される（符号１１４ａ参照）。
一方、ショートＧＩサブフレームの場合は、図５の（２）の場合と同様に、サブフレーム先頭の有効シンボル前部には、以降の有効シンボルに対して付加されるＧＩ長Ngi_sと同じ長さのガードインターバルが多重されるとともに（符号１１５参照）、前記位相回転処理を施されていないパイロットシンボルが挿入される（符号１１４参照）。【０１１４】
なお、受信側（移動局２）の構成及び動作は、第１実施形態と同様である。
つまり、本例では、前述した第１実施形態と異なり、サブフレームフォーマット自体に変更を加えることなく（挿入ＧＩ長を調整することなく）、第１実施形態と同等の処理を実現することができるのである。したがって、第１実施形態と同等の効果ないし利点を得ることができるほか、既存の基地局装置構成に多少の変更を加えるだけでよいので、汎用性にも富む。【０１１５】
なお、上述した位相回転処理は、第２〜第４実施形態により前述したシステムにおいて適用することも、勿論、可能である。
また、上述した例では、ロングＧＩサブフレームの先頭有効シンボルについて、長い方のＧＩ長Ngi_sから短い方のＧＩ長Ngi_sを差し引いた分（Ngi_l-Ngi_s）だけ周波数方向に位相回転処理を行なっているが、逆に、ショートＧＩサブフレームの先頭有効シンボルについて、短い方のＧＩ長Ngi_sから長い方のＧＩ長Ngi_sを差し引いた分（Ngi_s-Ngi_l）だけ位相回転（逆回転）処理を行なってもよい。これは、上述した例とは逆に、ショートＧＩサブフレームの先頭有効シンボルに対するＧＩ長をロングＧＩサブフレームのＧＩ長に合わせることに相当する。【０１１６】
さらに、異なるＧＩ長のサブフレームを３種類以上用いる場合には、いずれかのサブフレームのＧＩ長（最小のＧＩ長でもよいし、それ以外でもよい）を基準として、他のサブフレームの先頭有効シンボルについて、基準のサブフレームのＧＩ長と当該他のサブフレームのＧＩ長との差分に応じた位相回転処理をそれぞれ施せばよい。
また、上記では、サブフレーム先頭シンボルの有効データについて位相回転を施しているが、２シンボル目以降の有効データに位相回転を施してもよい。例えば、ショートＧＩサブフレームの３シンボル目とロングＧＩサブフレームの２シンボル目の有効データ部分に位相回転を施してもよい。このような場合には、有効データ開始位置がサブフレームタイミングから同じ位置になっている有効データにパイロットが多重される。【０１１７】
〔Ｆ〕本発明の一実施形態の説明
（Ｆ１）概要説明
ＭＢＭＳ用のデータ（以下、ＭＢＭＳ情報ともいう）を、時間多重のロングＧＩフレームの中で周波数多重（ＦＤＭ）する場合に、周波数帯域の一部の領域をユニキャスト用に限定して、ＭＢＭＳ情報を多重しないようにする。これにより、スクランブル方法（スクランブルコード）の検出において、ユニキャストに限定されている領域のみ検出対象とすることで、ショートＧＩサブフレームとは異なるパイロット挿入方法が適用されているロングＧＩサブフレームが多重されていることによるセルサーチ性能の劣化を回避することが可能となる。【０１１８】
（Ｆ２）チャネル多重方法
図２８は本発明の一実施形態に係るフレームフォーマット（ダウンリンク）を示す図で、この図２８の上段に示すフレームは、所定（ここでは、例えば５ＭＨｚ）の周波数帯域幅を有し、ロングＧＩサブフレーム３１とショートＧＩサブフレーム３２とが時間多重されて構成されており、ショートＧＩサブフレーム３２にはユニキャスト通信用のデータ（以下、ユニキャストデータともいう）が多重され、ロングＧＩサブフレーム３１には図２８の下段に示すようにユニキャストデータとＭＢＭＳ情報とが周波数多重（ＦＤＭ）されるようになっている。【０１１９】
ただし、本例では、この図２８の下段に示すように、上記周波数帯域幅の一部、例えば中心の１．２５ＭＨｚの帯域（以下、中心帯域という）３３を含む低周波数側の帯域３４はユニキャストデータを多重（送信）するために用いることとし、それ以外の高周波数側の帯域３５はＭＢＭＳ情報を多重（送信）するために用いることとしている。そして、少なくとも前記中心帯域３３では、サブフレーム（ロングＧＩサブフレーム）先頭に必ずユニキャスト通信用のパイロットを挿入（多重）して送信し、ＭＢＭＳ情報用の帯域３５では、当該サブフレーム先頭にＭＢＭＳ用のパイロットを挿入（多重）して送信することとする。【０１２０】
このように、サブフレーム（ロングＧＩサブフレーム３１）内において、ＭＢＭＳ情報の配置に制限を設けておくことにより、受信側（移動局）では、セルサーチ（初期同期時のスクランブル方法の検出）時において、サブフレーム先頭のシンボルの中心帯域（１．２５ＭＨｚ）で検出を行なえば、複数サブフレームでの平均化処理において、ＭＢＭＳ用のパイロットシンボルによる干渉の影響を回避することが可能となる。【０１２１】
なお、上記図２８において、サブフレーム末尾の少なくとも中心帯域３３には同期チャネル（ＳＣＨ）が多重される。また、前述した関連技術の各実施形態と同様に、サブフレーム先頭の有効シンボル位置がフレームタイミングから同じ位置になるように、ガードインターバル長の調整を施された結果、ロングＧＩサブフレーム先頭の有効シンボルの前部には、ロングＧＩサブフレーム３１の長いガードインターバルの一部、即ち、ショートＧＩサブフレーム３２のＧＩ長Ngi_sと同じ長さのガードインターバル（符号１１５参照）が挿入（多重）されるとともに、当該有効シンボル末尾に残りのＧＩ長Ngi_l−Ngi_sのガードインターバル（符号１１７参照）が挿入される。【０１２２】
従って、受信側では、前述した実施形態と同様に、パイロットチャネルが多重されたサブフレーム先頭シンボルのＦＦＴ処理において、受信信号のサブフレームフォーマットの相違（ショートＧＩサブフレーム３１かロングＧＩサブフレーム３２か）に関係なく、常に、サブフレームタイミングからNgi_s［sample］分のガードインターバルを除去することにより、サンプルずれを起こすことなく、常に適切な時間区間（ＦＦＴウィンドウ）でＦＦＴ処理を実行することができることになる。【０１２３】
（Ｆ３）基地局構成例
上記フレーム（チャネル多重）を実現する基地局（送信装置）の構成例を図２９に示す。本例での基地局１の基本構成は前記関連技術の各実施形態で既述の構成と同じでよいが、本例の要部に着目すると、例えば、ユニキャストパイロット発生部４１と、マルチキャストパイロット発生部４２と、チャネル多重部４３と、ＩＦＦＴ処理部４４と、送信アンテナ４５とをそなえて構成される
ここで、ユニキャストパイロット発生（生成）部４１は、ユニキャスト通信用の（第１）パイロット（以下、ユニキャストパイロットともいう）を発生するものであり、マルチキャスト（／ブロードキャスト）パイロット発生（生成）部４２は、ＭＢＭＳ（即ち、マルチキャスト又はブロードキャスト）通信用の（第２）パイロット（以下、マルチキャストパイロットともいう）を発生するものである。【０１２４】
つまり、これらのパイロット発生部４１，４２は、ユニキャスト通信及びＭＢＭＳの２種類の通信サービスに応じた２種類のパイロットを生成するパイロット生成手段としての機能を果たしている。そして、これらのパイロット発生部４１，４２は、一例として、図３１に示すように、それぞれのパイロットパターン（ユニキャストパイロットのパターンとしてＵk（ｋは自然数）、マルチキャストパイロットのパターンとしてＭk）を予め記憶しておく記憶部（ユニキャストパイロット記憶部、マルチキャストパイロット記憶部）により構成することができる。もちろん、パイロットパターンとして、特定の演算処理で発生可能なパターンを用いる場合には、記憶部を用いずに演算処理で発生してもよい。演算処理によるパターン系列の発生方法には様々な方法が知られており、例えば、前記非特許文献６でも示されているように、シフトレジスタを用いて当該演算処理を実現することもできる。【０１２５】
チャネル多重部４３は、上記の各パイロット発生部４１，４２からのパイロット（Ｕk，Ｍk）と、送信すべき他のチャネル（同期チャネルやデータチャネル、その他のチャネル）のデータ（Ｄk）とを多重するもので、例えば図３０に示すように、ユニキャストパイロット用の記憶部４３−１と、マルチキャストパイロット用の記憶部４３−２と、前記データ用の記憶部４３−３と、並べ替え部４３−４とをそなえて構成される。【０１２６】
記憶部４３−１は、前記ユニキャストパイロット発生部４１からのユニキャストパイロット（Ｕk）を記憶するものであり、記憶部４３−２は、前記マルチキャストパイロット発生部４３−２からのマルチキャストパイロット（Ｍk）を記憶するものであり、記憶部４３−３は、前記他のチャネルのデータを記憶するものである。
並べ替え部４３−４は、図２８により上述したフレームフォーマットで送信を行なうべく、各記憶部４３−１，４３−２，４３−３に記憶されている情報を所定順序で時系列にＩＦＦＴ処理部４４へ出力するもので、例えば、ＩＦＦＴ処理４４での処理単位（ＦＦＴサイズ）をＮとすると、ＩＦＦＴ処理部４４ではＯＦＤＭシンボル単位毎、Ｎ［sample］毎に、ブロック的に処理を行なうため、フレーム先頭から１，２，３，…シンボル毎に、次のように出力系列Ｅkを出力する。【０１２７】
１シンボル目出力＝Ｅk  （ｋ＝１，２，…，Ｎ）
２シンボル目出力＝Ｅk  (ｋ＝Ｎ＋１，Ｎ＋２，…，２Ｎ)
…
ｎシンボル目出力＝Ｅk  （ｋ＝（ｎ−1）Ｎ＋１，Ｎ＋２，…，ｎＮ）
図２８に示すフレームフォーマットで送信を行なう場合には、上記並べ替え部４３−４は、上記各シンボルにおいて、Ｎｓを１フレームに含まれるＯＦＤＭシンボル数として、次のように出力系列Ｅkを出力することになる。【０１２８】
Ｅk＝Ｕk      for（ｋ∈［１，Nu］）
Ｅk＝Ｍk_Nu   for（ｋ∈［Nu＋１，Ｎ］）
Ｅk＝Ｄk-N    for（ｋ∈［Ｎ＋１，Ｎｓ×Ｎ］）
なお、上記出力系列Ｅkは、図示しないシリアル／パラレル変換処理部（あるいは、ＦＦＴ処理部）により周波数領域信号に変換されて各サブキャリアにマッピングされた上で、ＩＦＦＴ処理部４４に入力される。【０１２９】
前記ＩＦＦＴ処理部４４は、周波数信号としての入力系列ＥkについてＩＦＦＴ処理を施して時間領域信号に変換するものであり、送信アンテナ４５は、当該ＩＦＦＴ処理後の送信信号を無線信号として伝播路へ放射するものである。ただし、上記ＩＦＦＴ処理後の信号は、例えば図１により前述した実施形態と同様に、ガードインターバル挿入部にて必要なＧＩ長のガードインターバルが挿入された上で、無線処理部にてディジタル／アナログ（Ｄ／Ａ）変換、無線周波数への周波数変換（アップコンバート）等の所要の無線送信処理を経てから上記送信アンテナ４５へ出力される。また、ガードインターバルの挿入方法は、前述した関連技術の各実施形態の方法を適用することができる。【０１３０】
つまり、上記のチャネル多重部４３，ＩＦＦＴ処理部４４及び送信アンテナ４５は、前記複数のパイロットの少なくともいずれか（ここでは、ユニキャストパイロット）を、送信帯域の一部に予め設定された保証帯域３３を用いて送信するとともに、他のパイロット（マルチキャストパイロット）を保証帯域３３以外の送信帯域を用いて送信する送信手段としての機能を果たしている。【０１３１】
上述の構成により、基地局１は、図２８に示したフレームフォーマットでダウンリンクの信号を送信することができる。即ち、チャネル多重部４３において、上述したごとく、ユニキャストパイロット発生部４１からのユニキャストパイロットＵkと、マルチキャストパイロット発生部４２からのマルチキャストパイロットＭkと、データＤkとが並べ替え部４３−４により所定順序で（前記出力系列Ｅkとして）出力され、サブキャリアへのマッピング処理、ＩＦＦＴ処理部４４によるＩＦＦＴ処理、無線送信処理を経た上で、送信アンテナ４５から伝播路へ送信される。【０１３２】
（Ｆ４）移動局構成例
一方、本例での移動局２は、例えば図３２に示すように、受信アンテナ５１と、ガードインターバル（ＧＩ）除去部５２と、ＦＦＴ処理部５３と、復調部５４と、サブキャリア抽出部５５と、タイミング検出部５６と、候補スクランブルコード数（Ｌ）に対応した相関演算部５７−１〜５７−Ｌと、これらの相関演算部５７−１〜５７−Ｌのそれぞれに対応した相関値平均部５８−１〜５８−Ｌと、判定部５９とをそなえて構成される。なお、本移動局２でのセルサーチ処理（第一段階及び第二段階の各処理）は基本的に既述の関連技術の第１〜第５実施形態と同様にして行なわれるものとする。【０１３３】
ここで、受信アンテナ５１は、基地局１から図２８に示したフレームフォーマット（ロングＧＩサブフレーム３１及びショートＧＩサブフレーム３２）で送信されてくる無線信号を受信するものであり、ＧＩ除去部５２は、当該無線信号に挿入されているガードインターバルを除去するものであり、ＦＦＴ処理部５３は、このＧＩ除去部５２にてガードインターバルを除去された受信信号について、セルサーチ処理の第一段階で検出したサブフレームタイミングにてＦＦＴ処理を行なうものである。【０１３４】
なお、図３２においては図示を省略しているが、受信アンテナ５１で受信された無線信号は図示しない無線処理部にてベースバンド信号への周波数変換（ダウンコンバート）やアナログ／ディジタル（Ａ／Ｄ変換）等を含む所要の無線受信処理を施された上でＧＩ除去部５２へ入力されるものとする。
復調部５４は、上記ＦＦＴ処理後の受信信号を基地局１側での変調方式に対応した復調方式で復調するものであり、サブキャリア抽出部５５は、受信サブフレームから一定のサブキャリアを抽出するもので、本例では、少なくとも図２８により前述した中心帯域３３、即ち、ユニキャストパイロットが挿入されることが保証されているサブキャリア領域（以下、ユニキャストパイロット保証帯域、あるいは、単に保証帯域と称することがある）の信号を抽出（検出）するものである。【０１３５】
タイミング検出部５６は、上記ＦＦＴ処理後の周波数領域信号からパイロットチャネルのタイミングを検出し、各相関演算部５７−ｉ（ｉ＝１〜Ｌ）へ候補スクランブルコードとの相関演算タイミングとして出力するものである。
相関演算部５７−ｉは、それぞれ、サブキャリア抽出部５５で抽出された信号（中心帯域３３の信号）と、複数種類のスクランブルコード（パターン）のうちｉ番目の候補スクランブルコード（パイロットレプリカ）との相関演算を行なうものであり、相関値平均部５８−ｉは、対応する相関演算部５８−ｉにより得られた相関値を所定シンボル数分だけ平均化してその平均値を得るものである。【０１３６】
そして、判定部５９は、各相関値平均部５８−ｉから出力される複数種類の候補スクランブルコードとの相関値（電力）のうち、例えば、最大の相関値を示すスクランブルパターンが基地局１から送信されているものと判定するものである。
上述の構成により、本例の移動局２では、受信信号から、サブキャリア抽出部５５にて、中心帯域３３の信号、即ち、ユニキャストパイロットが挿入されることが保証されているサブキャリア領域の信号が検出され、当該信号について各相関演算部５７−ｉにて候補スクランブルコードとの相関が演算されて、その平均値が最大を示すスクランブルコードを検出スクランブルコードとする。【０１３７】
したがって、マルチキャストパイロットが同じサブフレーム３１内の同じ時間領域に周波数多重されていても、当該マルチキャストパイロットが干渉となることはなく、スクランブルコードの検出を正しく行なうことが可能となり、これにより、セルサーチ性能の劣化を回避することが可能となる。
なお、上記の例では、ユニキャストパイロットが挿入されることが保証されている帯域のみを用いた検出を行なう構成になっているが、既述の関連技術の各実施形態における移動局２構成そのままでも初期同期の検出を行なうことは可能であり、また、サブキャリア抽出部５５がユニキャストパイロットの保証帯域３３のみに限定して抽出（検出）する動作でなく、保証されていない帯域成分を一部に含めて出力する構成も可能である。【０１３８】
このような構成の違いは、次のような性能面でのトレードオフを良く考慮してエンジニアにより最適と思われる様な設計にすれば良い。
・性能面でのトレードオフ
即ち、上記の例により、ロングＧＩサブフレーム３１がショートＧＩサブフレーム３２と混在して時間多重されていてもそれが干渉とならないように検出が行なえるようになるが、ロングＧＩフレーム３１の発生頻度（つまり、多重数）が非常に小さい場合などにおいては、一部のサブキャリアのみを抽出して相関演算およびスクランブルコード検出に用いる構成では、これらの演算および検出に使用できる信号成分が減少し、検出性能が低下する可能性がある。つまり、ロングＧＩサブフレーム３１による干渉量を減少させるメリットと、信号成分が減少することによるデメリットのトレードオフである。【０１３９】
そのため、構成としては、ユニキャストパイロット保証帯域３３以外の帯域成分も一部上記相関演算及び検出に用いる構成とし、どの程度、当該保証帯域３３以外の帯域成分を用いるかという割合には、最適な値が存在するはずである。しかしながら、この最適値は、ロングＧＩサブフレーム３１やマルチキャストパイロットの挿入割合、移動局（受信機）２の処理量などを加味して判断されるものであり、移動局２を構成するエンジニアによって決定されるべきものである。【０１４０】
（Ｆ５）変形例（広帯域の場合のみＭＢＭＳ割り当て制限をつける場合）の説明
基地局（送信機）１が送信する周波数帯域幅（送信帯域幅）に複数の可能性があるシステムの場合を考える。一例として、前記非特許文献６では、ダウンリンクの送信帯域幅として、１．２５ＭＨｚ，２．５ＭＨｚ，５ＭＨｚ，１０ＭＨｚ，１５ＭＨｚ，２０ＭＨｚ等の複数の可能性を含むシステムが想定されており、このようなシステムでは、どの送信帯域幅の基地局１でも同じ帯域幅のユニキャストパイロット保証帯域３３を設定すると、保証帯域幅は１．２５ＭＨｚ以下にする必要がある（そうしないと、狭い送信帯域幅しか割り当てられていない基地局１はＭＢＭＳ情報を多重できなくなる）。【０１４１】
そのため、このような送信帯域幅が複数存在するシステムにおいては、ユニキャスト保証帯域３３の幅を、基地局１の送信帯域幅に応じて異なる幅（つまり、可変幅）とする構成にすることが好ましい。即ち、基地局１の送信帯域幅が広い（又は、狭い）ほど広い（又は、狭い）ユニキャスト保証帯域３３を設定することにより、ＭＢＭＳ情報の多重を保証しつつ、前記マルチキャストパイロットによる干渉を回避した正確なスクランブルコード検出を可能とするのである。【０１４２】
また、このような構成とすることにより、送信帯域幅の広い基地局１ほど広いユニキャスト保証帯域３３を設定することが可能となるので、移動局２では、スクランブルコード検出に用いることのできる帯域（信号成分）が増加し、検出性能が向上する。
（Ｆ６）ＧＩ長が複数存在しない場合
これまでに述べてきた例では、ＧＩ長の異なるサブフレームが複数存在する場合について説明したが、ＧＩ長の異なるサブフレームが複数存在することは本発明にとって必須ではない。これは、上述した例において、ユニキャスト通信とマルチキャスト通信とで異なるパイロットを用いる場合には、ＧＩ長が１種類であっても、相関値平均化部５８−ｉによる平均化処理において、異なるパイロットを用いたフレームとの相関値が入ってくると、それは平均化処理においては干渉となる。【０１４３】
そのため、やはり上述したごとくユニキャストパイロット保証帯域３３を予め設定しておくことにより、当該保証帯域３３を検出後に処理する受信機構成により、そのような異なるパイロットの多重による干渉を削減することが可能である。
なお、本発明は、上述した実施形態に限定されず、本発明の趣旨を逸脱しない範囲で種々変形して実施することができることはいうまでもない。【０１４４】
例えば、図２８〜図３２により上述した例では、パイロットパターンは、ユニキャスト用とマルチキャスト用とで異なるものを想定しているが、それぞれで同じパイロットパターンを用いてもよい。
また、フレーム中に必ずユニキャストパイロット保証帯域３３が存在していることが本発明の特徴であるため、当該保証帯域３３は必ずしも送信帯域の中心帯域又はこれを含む帯域である必要はない。複数の保証帯域３３が設定されていてもよい。もっとも、上述した例のように中心帯域３３（又はこれを含む帯域）に設定しておけば、基地局１の送信帯域幅が異なる場合であっても、上述のごとく移動局２側で少なくとも中心帯域３３の信号を検出する構成としておくことで、ユニキャストパイロットの検出を確実に行なうことが可能となる。したがって、移動局２側の構成や設定を基地局１の送信帯域幅ごとに変える必要がなく、汎用性に富むことになる。【０１４５】
さらに、ユニキャストパイロットと同じ時間領域（シンボル位置）にマルチキャストパイロットが存在するかどうか、ユニキャストパイロットと異なる時間領域（シンボル位置）にデータがマッピングされているかどうかについては、いずれも不問である。
〔Ｇ〕付記
（付記１）
送信機と、当該送信機と複数種類の通信サービスにて無線通信を行ないうる受信機とをそなえた無線通信システムにおいて、
該送信機は、
前記複数種類の通信サービスに応じた複数のパイロット信号を生成し、
生成した複数のパイロット信号の少なくともいずれかを、送信帯域の一部に予め設定された所定帯域を用いて送信するとともに、他のパイロット信号を前記所定帯域以外の前記送信帯域を用いて送信し、
該受信機は、
該送信機からの受信信号のうち少なくとも前記所定帯域を含む帯域の信号を検出し、
検出した信号から前記パイロット信号を検出することを特徴とする、無線通信方法。
（付記２）
前記所定帯域が、前記送信帯域の中心帯域を含む帯域であることを特徴とする、付記１記載の無線通信方法。
（付記３）
前記所定帯域が、前記送信帯域の中心帯域であることを特徴とする、付記１記載の無線通信方法。
（付記４）
該送信機は、前記送信帯域の幅に応じて前記所定帯域の幅を制御することを特徴とする、付記１〜３のいずれか１項に記載の無線通信方法。
（付記５）
該送信機は、前記送信帯域の幅が広いほど前記所定帯域の幅を広く制御することを特徴とする、付記４記載の無線通信方法。
（付記６）
前記所定帯域にて送信されるパイロット信号がユニキャスト通信サービス用のパイロット信号であり、前記所定帯域以外の送信帯域にて送信されるパイロット信号がマルチキャスト又はブロードキャスト通信サービス用のパイロット信号であることを特徴とする、付記１〜５のいずれか１項に記載の無線通信方法。
（付記７）
前記ユニキャスト通信サービス用のパイロット信号と、前記マルチキャスト又はブロードキャスト通信サービス用のパイロット信号とが異なるパターンを有することを特徴とする、付記６記載の無線通信方法。
（付記８）
送信機と、当該送信機と複数種類の通信サービスにて無線通信を行ないうる受信機とをそなえた無線通信システムに用いられる前記送信機であって、
前記複数種類の通信サービスに応じた複数のパイロット信号を生成するパイロット生成手段と、
該パイロット生成手段にて生成した複数のパイロット信号の少なくともいずれかを、送信帯域の一部に予め設定された所定帯域を用いて送信するとともに、他のパイロット信号を前記所定帯域以外の前記送信帯域を用いて送信する送信手段とをそなえて構成されたことを特徴とする、送信機。
（付記９）
前記所定帯域が、前記送信帯域の中心帯域を含む帯域であることを特徴とする、付記８記載の送信機。
（付記１０）
前記所定帯域が、前記送信帯域の中心帯域であることを特徴とする、付記８記載の送信機。
（付記１１）
該パイロット生成手段が、
前記所定帯域にて送信するパイロット信号としてユニキャスト通信サービス用の第１パイロット信号を生成するユニキャストパイロット生成部と、
前記所定帯域以外の前記送信帯域にて送信されるパイロット信号としてマルチキャスト又はブロードキャスト通信サービス用の第２パイロット信号を生成するマルチキャスト／ユニキャストパイロット生成部とをそなえて構成されたことを特徴とする、付記８〜１０のいずれか１項に記載の送信機。
（付記１２）
該ユニキャストパイロット生成部が、前記第１パイロット信号を予め記憶する記憶部により構成されるとともに、
該マルチキャスト／ユニキャストパイロット生成部が、前記第２パイロット信号を予め記憶する記憶部により構成されたことを特徴とする、付記１１記載の送信機。
（付記１３）
前記第１パイロット信号と前記第２パイロット信号のパターンとが異なるパターンを有することを特徴とする、付記１２記載の送信機。
（付記１４）
送信機と、当該送信機と複数種類の通信サービスにて無線通信を行ないうる受信機とをそなえ、該送信機が、前記複数種類の通信サービスに応じた複数のパイロット信号の少なくともいずれかを、送信帯域の一部に予め設定された所定帯域を用いて送信するとともに、他のパイロット信号を前記所定帯域以外の前記送信帯域を用いて送信すべく構成された無線通信システムに用いられる前記受信機であって、
該送信機からの受信信号のうち少なくとも前記所定帯域を含む帯域の信号を検出する帯域信号検出手段と、
該帯域信号検出手段で検出した信号から前記パイロット信号を検出するパイロット検出手段とをそなえて構成されたことを特徴とする、受信機。
【産業上の利用可能性】
【０１４６】
以上詳述したように、本発明によれば、複数のパイロット信号の少なくともいずれかを、送信帯域の一部に予め設定された保証帯域を用いて送信し、受信機では、受信信号のうち少なくとも前記保証帯域を含む帯域の信号を検出し、検出した信号から前記パイロット信号を検出するので、他のパイロット信号が同じ時間領域に周波数多重されていても、当該パイロット信号による干渉の影響を回避して、パイロット信号の検出を正しく行なうことが可能となる。したがって、受信機でのセルサーチ性能の劣化を回避することが可能となり、無線通信技術分野、特に、移動通信分野において極めて有用と考えられる。
【図１】
0004422768.tif 000006
【図２】
0004422768.tif 000007
【図３】
0004422768.tif 000008
【図４】
0004422768.tif 000009
【図５】
0004422768.tif 000010
【図６】
0004422768.tif 000011
【図７】
0004422768.tif 000012
【図８】
0004422768.tif 000013
【図９】
0004422768.tif 000014
【図１０】
0004422768.tif 000015
【図１１】
0004422768.tif 000016
【図１２】
0004422768.tif 000017
【図１３】
0004422768.tif 000018
【図１４】
0004422768.tif 000019
【図１５】
0004422768.tif 000020
【図１６】
0004422768.tif 000021
【図１７】
0004422768.tif 000022
【図１８】
0004422768.tif 000023
【図１９】
0004422768.tif 000024
【図２０】
0004422768.tif 000025
【図２１】
0004422768.tif 000026
【図２２】
0004422768.tif 000027
【図２３】
0004422768.tif 000028
【図２４】
0004422768.tif 000029
【図２５】
0004422768.tif 000030
【図２６】
0004422768.tif 000031
【図２７】
0004422768.tif 000032
【図２８】
0004422768.tif 000033
【図２９】
0004422768.tif 000034
【図３０】
0004422768.tif 000035
【図３１】
0004422768.tif 000036
【図３２】
0004422768.tif 000037